(57)【要約】      （修正有）【課題】ターゲットを撮像するためのイメージング視野を有するイメージングシステムで用いられる照明モジュールを提供する。【解決手段】イメージングデバイスは、ターゲットにおける第１照明分布を有する第１の光を出力することで前記ターゲットを照らす第１照明ポートと、前記ターゲットにおける第２照明分布を有する第２の光を出力することで前記ターゲットを照らす第２照明ポートであって、前記第２照明分布が前記ターゲットにおいて前記第１照明分布と実質的に似ており、前記第２照明ポートが前記第１照明ポートから離間しており、前記第１および第２照明分布が前記ターゲットに対して同時に提供され、かつ、前記ターゲットにおいて重なり合う、第２照明ポートと、を含んでもよい。前記第１および第２ポートからの前記照明は前記イメージング視野と同じアスペクト比および視野にマッチされてもよい。【選択図】図７
2020189109.tif 000002
【特許請求の範囲】
【請求項１】
ターゲットを撮像するためのイメージング視野を有するイメージングシステムで用いられる照明モジュールであって、
前記ターゲットにおける第１照明分布を有する第１光ビームを出力することで前記ターゲットを照らす第１照明ポートと、
前記ターゲットにおける第２照明分布を有する第２光ビームを出力することで前記ターゲットを照らす第２照明ポートであって、前記第２照明分布が前記ターゲットにおいて前記第１照明分布と実質的に似ており、前記第２照明ポートが前記第１照明ポートから離間しており、前記第１および第２照明分布が前記ターゲットに対して同時に提供され、かつ、前記ターゲットにおいて重なり合っており、前記第１および第２ポートからの前記照明が前記イメージング視野と同じアスペクト比および視野カバレッジにマッチされる、第２照明ポートと、を備える照明モジュール。
【請求項２】
前記第１および第２照明ポートからの光はそれぞれ重なりあうことで、ターゲット視野上に一様な照明を提供する請求項１に記載の照明モジュール。
【請求項３】
異なる視野を通じて前記第１および第２照明ポートを同時に操舵するステアリングドライバを備える請求項１または２に記載の照明モジュール。
【請求項４】
前記第１および第２照明ポートのそれぞれは、
少なくともひとつの固定レンズと、
操舵可能ハウジングと、
操舵可能ハウジングに取り付けられた少なくともひとつのレンズであって、前記操舵可能ハウジングが前記ステアリングドライバと通信する、少なくともひとつのレンズと、を有するレンズモジュールを含む請求項３に記載の照明モジュール。
【請求項５】
前記第１および第２照明ポートならびに前記ステアリングドライバを収容する筐体をさらに備える請求項３または４に記載の照明モジュール。
【請求項６】
前記筐体はハンドヘルド筐体である請求項５に記載の照明モジュール。
【請求項７】
前記ハンドヘルド筐体は、前記ステアリングドライバを制御するための活性化デバイスを含む制御面を備える請求項５に記載の照明モジュール。
【請求項８】
前記第１および第２照明分布のそれぞれは矩形の照明分布である請求項１から７のいずれか一項に記載の照明モジュール。
【請求項９】
前記第１および第２照明ポートのそれぞれは、二組の円柱レンズを有するレンズモジュールを含む請求項８に記載の照明モジュール。
【請求項１０】
前記第１および第２照明ポートは前記矩形照明分布の長手寸法正中線から対称的にオフセットしている請求項８に記載の照明モジュール。
【請求項１１】
イメージング視野を有するイメージングデバイスであって、
ターゲットにおける第１照明分布を有する第１の光を出力することで前記ターゲットを照らす第１照明ポートと、
前記ターゲットにおける第２照明分布を有する第２の光を出力することで前記ターゲットを照らす第２照明ポートであって、前記第２照明分布が前記ターゲットにおいて前記第１照明分布と実質的に似ており、前記第２照明ポートが前記第１照明ポートから離間しており、前記第１および第２照明分布が前記ターゲットに対して同時に提供され、かつ、前記ターゲットにおいて重なり合っており、前記第１および第２ポートからの前記照明が前記イメージング視野と同じアスペクト比および視野にマッチされる、第２照明ポートと、
前記ターゲットからの光を検出するセンサと、を備えるイメージングデバイス。
【請求項１２】
前記第１および第２照明ポートならびに前記センサを収容する筐体をさらに備える請求項１１に記載のイメージングデバイス。
【請求項１３】
異なる視野を通じて前記第１および第２照明ポートを同時に操舵するステアリングドライバをさらに備える請求項１１または１２に記載のイメージングデバイス。
【請求項１４】
前記センサに光を集束させるイメージング要素をさらに備え、
前記ステアリングドライバは前記第１および第２照明ポートの操舵と同期して前記イメージング要素を動かすためのものである請求項１３に記載のイメージングデバイス。
【請求項１５】
前記ステアリングドライバは前記筐体内にあり、前記筐体は前記ステアリングドライバを制御するための活性化デバイスを含む制御面を含む請求項１４に記載のイメージングデバイス。
【請求項１６】
前記筐体は、一方の手で前記制御面を制御し複数の向きからの前記ターゲットの照明を制御することを可能にするフォームファクタを有するハンドヘルド筐体である請求項１２から１５のいずれか一項に記載のイメージングデバイス。
【請求項１７】
前記第１および第２照明ポートへ光を出力する照明源であって、前記照明源が前記筐体の外側にある、照明源をさらに含む請求項１２から１６のいずれか一項に記載のイメージングデバイス。
【請求項１８】
前記照明源は前記第１および第２照明ポートへ可視光および／または励起光を出力するためのものである請求項１７に記載のイメージングデバイス。
【請求項１９】
前記センサは、前記ターゲットからの光であって可視光および励起光による照明により生じた光を検出するための単一のセンサである請求項１８に記載のイメージングデバイス。
【請求項２０】
前記センサの上流に波長依存開口をさらに備え、
前記波長依存開口は中央領域の外側の可視光を遮るものである請求項１９に記載のイメージングデバイス。
【請求項２１】
前記筐体の外側にあるビデオプロセッサボックスをさらに備える請求項１２から２０のいずれか一項に記載のイメージングデバイス。
【請求項２２】
前記照明源は前記ビデオプロセッサボックスと一体化されている請求項２１に記載のイメージングデバイス。
【請求項２３】
ターゲットを調べる方法であって、
前記ターゲットにおける第１照明分布を有する第１光出力および前記ターゲットにおける第２照明分布を有する第２光出力で前記ターゲットを同時に照らすことであって、前記第２照明分布が前記第１照明分布と実質的に似ており、前記第１および第２照明分布が前記ターゲットにおいて重なり合っており、前記ターゲット上での前記照明がイメージング視野と同じアスペクト比および視野カバレッジにマッチされる、照らすこと、を含む方法。
【請求項２４】
異なる視野を通じて前記第１および第２光出力を同時に操舵することをさらに含む請求項２３に記載の方法。
【請求項２５】
前記ターゲットからの光を受けることと、
イメージング要素を用いてセンサ上に光を集束させることであって、前記イメージング要素が前記第１および第２光出力の同時操舵と同期して動かされる、集束させることと、をさらに含む請求項２４に記載の方法。
【請求項２６】
イメージングデバイスで用いられるドレープであって、
前記イメージングデバイスを包むバリア材と、
前記バリア材における開口を定義するドレープウインドウフレームと、
前記バリア材における前記開口内にあるドレープレンズと、
前記ドレープウインドウフレームと一体化されたインタフェースであって、前記ドレープレンズを前記イメージングデバイスのウインドウフレームに固定するインタフェースと、を備えるドレープ。
【請求項２７】
前記ドレープウインドウフレームは前記イメージングデバイスの前記ウインドウフレームに挿入可能である請求項２６に記載のドレープ。
【請求項２８】
前記インタフェースは、前記ドレープウインドウフレームの対向する側のそれぞれに対称的に組み込まれた二つのクランプを含む請求項２６または２７に記載のドレープ。
【請求項２９】
前記二つのクランプは前記ドレープウインドウフレームの上部および下部にある請求項２８に記載のドレープ。
【請求項３０】
ターゲットを撮像するプロセッサであって、前記プロセッサは期間内に、
励起光源を起動することで、前記ターゲットを照らすための励起パルスを生成することと、
白色光源を起動することで前記ターゲットを照らすための白色パルスを、前記白色パルスが前記励起パルスと重ならず、かつ、前記白色パルスが前記期間内に少なくとも二回生成されるように、生成することと、
前記励起パルス中に、蛍光露光時間の間、イメージセンサを曝すことと、
少なくともひとつの白色パルス中に、可視露光時間の間、前記イメージセンサを曝すことと、
前記イメージセンサからの出力を検出することと、
環境光の補正を行うことと、
結果として得られるイメージを出力することと、を行うプロセッサ。
【請求項３１】
環境光の補正を行うために、前記プロセッサは、
センサ画素行の第１集合についての前記蛍光露光時間のある割合の間、前記イメージセンサのセンサ画素行の第１集合を曝すことと、
前記蛍光露光時間全体の間、前記イメージセンサのセンサ画素行の第２集合を曝すことと、を行う請求項３０に記載のプロセッサ。
【請求項３２】
前記ある割合は１／２である請求項３１に記載のプロセッサ。
【請求項３３】
前記プロセッサは、以下の式を用いて前記蛍光信号Ｆを決定するためのものである請求項３２に記載のプロセッサ。
F = 2*Exp2 - Exp1
ここで、Ｅｘｐ１は蛍光露光時間の前記ある割合の間の信号出力であり、Ｅｘｐ２は前記蛍光露光時間全体の間の信号出力である。
【請求項３４】
前記露光時間の前記ある割合は前記励起パルスの幅と等しい請求項３１に記載のプロセッサ。
【請求項３５】
前記可視露光時間は前記少なくともひとつの白色パルスの幅よりも長い請求項３０に記載のプロセッサ。
【請求項３６】
前記可視露光時間は前記期間内のひとつの白色パルスについてのものである請求項３０に記載のプロセッサ。
【請求項３７】
前記可視露光時間は前記期間内の二つの白色パルスについてのものである請求項３０に記載のプロセッサ。
【請求項３８】
環境光の補正を行うために、前記プロセッサは、
ターゲットが前記期間内に少なくとも一度照らされることがない場合、バックグラウンド露光時間の間、前記イメージセンサを曝すことを行う請求項３０に記載のプロセッサ。
【請求項３９】
期間内にターゲットを撮像する方法であって、
励起パルスを生成することで前記ターゲットを照らすことと、
前記ターゲットを照らすための白色パルスを、前記白色パルスが前記励起パルスと重ならず、かつ、前記白色パルスが前記期間内に少なくとも二回生成されるように、生成することと、
前記励起パルス中に、蛍光露光時間の間、イメージセンサを曝すことと、
少なくともひとつの白色パルス中に、可視露光時間の間、前記イメージセンサを曝すことと、
前記イメージセンサからの出力を検出することと、
環境光の補正を行うことと、
結果として得られるイメージを出力することと、を含む方法。
【請求項４０】
環境光の補正を行うことは、
前記蛍光露光時間のある割合の間、前記イメージセンサのセンサ画素行の第１集合を曝すことと、
前記蛍光露光時間全体の間、前記イメージセンサのセンサ画素行の第２集合を曝すことと、を含む請求項３９に記載の方法。
【請求項４１】
環境光の補正を行うことは、
ターゲットが前記期間内に少なくとも一度照らされることがない場合、バックグラウンド露光時間の間、前記イメージセンサを曝すことを含む請求項３９に記載の方法。
【請求項４２】
前記励起パルスを生成することは、一様でアナモルフィックな照明を前記ターゲットに提供することを含む請求項３９から４１のいずれか一項に記載の方法。
【請求項４３】
一様でアナモルフィックな照明を前記ターゲットに提供することは、少なくとも二つの照明ポートからの照明を重ね合わせることを含む請求項４２に記載の方法。
【請求項４４】
前記蛍光露光時間の間前記イメージンセンサを曝すことは、前記露光中、前記イメージセンサの上流に波長依存開口を提供することを含み、
前記波長依存開口は中央領域の外側の可視光を遮るものである請求項３９から４３のいずれか一項に記載の方法。
【請求項４５】
前記波長依存開口は、可視光と前記励起パルスにより励起された前記蛍光との両方について、前記センサ面において実質的に同様な被写界深度を生じさせるよう構成される請求項４４に記載の方法。
【請求項４６】
イメージに蛍光強度を表示させる方法であって、
前記イメージの領域をカバーするターゲットレチクルを表示させることと、
前記ターゲットレチクル内の正規化蛍光強度を算出することと、前記ターゲットに関連付けられたディスプレイ領域に前記正規化蛍光強度を表示させることと、を含む方法。
【請求項４７】
前記ディスプレイ領域は前記ターゲットに投影される請求項４６に記載の方法。
【請求項４８】
前記正規化蛍光強度は単一の数値を含む請求項４６または４７に記載の方法。
【請求項４９】
前記正規化蛍光強度は正規化蛍光強度の履歴プロットを含む請求項４６から４８のいずれか一項に記載の方法。
【請求項５０】
互いに離間している少なくとも二つの照明ポートを含む照明モジュールであって、第１および第２照明分布がターゲットに同時に提供され、かつ、前記ターゲットにおいて重なり合うものである、照明モジュールと、
前記ターゲットからの光を検出するセンサを含むイメージングモジュールと、を備えるキット。
【請求項５１】
前記照明モジュールと前記イメージングモジュールとを囲む筐体をさらに備える請求項５０に記載のキット。
【請求項５２】
請求項１１から２２のいずれか一項に記載のイメージングデバイス、請求項２３から２５のいずれか一項に記載の方法、請求項３９から４５のいずれか一項に記載の方法、請求項４６から４９のいずれか一項に記載の方法、またはそれらの組み合わせで用いられる蛍光イメージング剤。
【請求項５３】
請求項１１から２２のいずれか一項に記載のイメージングデバイス、請求項２３から２５のいずれか一項に記載の方法、請求項３９から４５のいずれか一項に記載の方法、請求項４６から４９のいずれか一項に記載の方法、またはそれらの組み合わせにおいて、血流イメージング、組織灌流イメージング、リンパイメージング、またはそれらの組み合わせ中に用いられる蛍光イメージング剤。
【請求項５４】
血流イメージング、組織灌流イメージング、および／またはリンパイメージングは、侵襲的手術、最低侵襲的手術、非侵襲的手術、またはそれらの組み合わせ中の血流イメージング、組織灌流イメージング、および／またはリンパイメージングを含む請求項５３に記載の蛍光イメージング剤。
【請求項５５】
前記侵襲的手術は、心臓関連手術または再建手術を含む請求項５４に記載の蛍光イメージング剤。
【請求項５６】
前記心臓関連手術は、心臓冠動脈バイパス（ＣＡＢＧ）手術を含む請求項５５に記載の蛍光イメージング剤。
【請求項５７】
前記ＣＡＢＧはオンポンプまたはオフポンプである請求項５６に記載の蛍光イメージング剤。
【請求項５８】
前記最低侵襲的手術または前記非侵襲的手術は、傷治療手術を含む請求項５４に記載の蛍光イメージング剤。
【請求項５９】
前記リンパイメージングは、リンパ節、リンパ節ドレナージ、リンパマッピング、またはそれらの組み合わせの特定を含む請求項５３に記載の蛍光イメージング剤。
【請求項６０】
前記リンパイメージングは前記女性の生殖システムに関する請求項５３に記載の蛍光イメージング剤。
【請求項６１】
リンパイメージングのための請求項１１から２２のいずれか一項に記載のイメージングデバイス、請求項２３から２５のいずれか一項に記載の方法、請求項３９から４５のいずれか一項に記載の方法、請求項４６から４９のいずれか一項に記載の方法、またはそれらの組み合わせの使用。
【請求項６２】
血流イメージング、組織灌流イメージング、またはそれらの組み合わせのための、請求項１１から２２のいずれか一項に記載のイメージングデバイス、請求項２３から２５のいずれか一項に記載の方法、請求項３９から４５のいずれか一項に記載の方法、請求項４６から４９のいずれか一項に記載の方法、またはそれらの組み合わせの使用。
【請求項６３】
請求項５０または５１に記載のキットで用いられる蛍光イメージング剤。
【請求項６４】
前記蛍光イメージング剤はＩＣＧを含む請求項５２から６０のいずれか一項または請求項６３に記載の蛍光イメージング剤。
【請求項６５】
前記蛍光イメージング剤はＩＣＧである請求項５２から６０のいずれか一項または請求項６３に記載の蛍光イメージング剤。
【発明の詳細な説明】
【技術分野】
【０００１】
関連出願へのリファレンス
本願は、「SYSTEMS AND METHODS FOR ILLUMINATION AND FMAGING OF A TARGET」というタイトルの２０１５年１１月１３日に提出された米国特許仮出願第62/255,024号の優先権の利益を享受する。その出願は、その全体が参照により本明細書に組み入れられる。
【０００２】
本開示は主に照明およびイメージングの分野に関する。本開示は特にターゲット物質の照明およびイメージングに関する。
【背景技術】
【０００３】
照明は、例えば自己充足的照明を伴うブロードバンドイメージングシステムなどのイメージングシステムの重要なコンポーネントである。医療イメージングなどのイメージングシステムの多くのアプリケーションにおいて、イメージング視野の一様なフルフィールド照明を得つつ、十分に強いイメージング信号を生じさせるのに十分な強度の照明を提供することは困難である。イメージング視野にマッチするよう照明プロファイルを適合させることは照明の省電力化の一方法であり、一方、複数の照明ポートを用いることで視野に亘って一様な照明を提供してもよい。イメージングシステムにおける従来の照明投影は、イメージング視野にマッチさせるためのアナモルフィック投影を特徴としうるが、多くの場合、単一の照明ポートのみを特徴とし、近い作業距離用には構成されていない。単一ポート照明システムでは、例えば人の解剖学的構造や他の生体物質などの複雑な形を照らす場合、実質的に影になり視認性に欠ける領域が生じる。手術野イメージングおよび照明デバイスの既存のデザインは、イメージング光学系を囲むリング光などの複数の照明ポートを用いることで影領域を最小化している。しかしながら、これらのデザインは視野の外側の照明を無駄にしており、作業距離の範囲に亘る視野の一様な照明を達成できていない。
【発明の概要】
【０００４】
ひとつ以上の実施の形態は、ターゲットを撮像するためのイメージング視野を有するイメージングシステムで用いられる照明モジュールであって、前記ターゲットにおける第１照明分布を有する第１光ビームを出力することで前記ターゲットを照らす第１照明ポートと、前記ターゲットにおける第２照明分布を有する第２光ビームを出力することで前記ターゲットを照らす第２照明ポートと、を含む照明モジュールを指向する。前記第２照明分布が前記ターゲットにおいて前記第１照明分布と実質的に似ており、前記第２照明ポートが前記第１照明ポートから離間しており、前記第１および第２照明分布が前記ターゲットに対して同時に提供され、かつ、前記ターゲットにおいて重なり合っており、前記第１および第２ポートからの前記照明が前記イメージング視野と同じアスペクト比および視野カバレッジにマッチされてもよい。
【０００５】
前記第１および第２照明ポートからの光はそれぞれ重なりあうことで、ターゲット視野上に一様な照明を提供してもよい。
【０００６】
照明モジュールは、異なる視野を通じて前記第１および第２照明ポートを同時に操舵するステアリングドライバを含んでもよい。
【０００７】
前記第１および第２照明ポートのそれぞれは、少なくともひとつの固定レンズと操舵可能ハウジングと前記操舵可能ハウジングに取り付けられた少なくともひとつのレンズとを有するレンズモジュールを含んでもよく、前記操舵可能ハウジングは前記ステアリングドライバと通信する。
【０００８】
照明モジュールは、前記第１および第２照明ポートならびに前記ステアリングドライバを収容する筐体を含んでもよい。
【０００９】
前記筐体はハンドヘルド筐体であってもよく、前記ステアリングドライバを制御するための活性化デバイスを含む制御面を含んでもよい。
【００１０】
前記第１および第２照明分布のそれぞれは矩形照明分布であってもよい。
【００１１】
前記第１および第２照明ポートのそれぞれは、二組の円柱レンズを有するレンズモジュールを含んでもよい。
【００１２】
前記第１および第２照明ポートは前記矩形照明分布の長手寸法正中線から対称的にオフセットしていてもよい。
【００１３】
ひとつ以上の実施の形態は、イメージング視野を有するイメージングデバイスを指向し、前記イメージングデバイスは、ターゲットにおける第１照明分布を有する第１の光を出力することで前記ターゲットを照らす第１照明ポートと、前記ターゲットにおける第２照明分布を有する第２の光を出力することで前記ターゲットを照らす第２照明ポートであって、前記第２照明分布が前記ターゲットにおいて前記第１照明分布と実質的に似ており、前記第２照明ポートが前記第１照明ポートから離間しており、前記第１および第２照明分布が前記ターゲットに対して同時に提供され、かつ、前記ターゲットにおいて重なり合っており、前記第１および第２ポートからの前記照明が前記イメージング視野と同じアスペクト比および視野にマッチされる、第２照明ポートと、前記ターゲットからの光を検出するセンサと、を含む。
【００１４】
イメージングデバイスは、前記第１および第２照明ポートならびに前記センサを収容する筐体を含んでもよい。
【００１５】
イメージングデバイスは、異なる視野を通じて前記第１および第２照明ポートを同時に操舵するステアリングドライバを含んでもよい。
【００１６】
イメージングデバイスは、前記センサに光を集束させるイメージング要素を含んでもよく、前記ステアリングドライバは前記第１および第２照明ポートの操舵と同期して前記イメージング要素を動かすためのものである。
【００１７】
前記ステアリングドライバは前記筐体内にあってもよく、前記筐体は前記ステアリングドライバを制御するための活性化デバイスを含む制御面を含んでもよい。
【００１８】
前記筐体は、一方の手で前記制御面を制御し複数の向きからの前記ターゲットの照明を制御することを可能にするフォームファクタを有するハンドヘルド筐体を有してもよい。
【００１９】
イメージングデバイスは、前記第１および第２照明ポートへ光を出力する照明源であって、前記照明源が前記筐体の外側にある、照明源を含んでもよい。
【００２０】
前記照明源は前記第１および第２照明ポートへ可視光および／または励起光を出力してもよい。
【００２１】
前記センサは、前記ターゲットからの光であって可視光および励起光による照明により生じた光を検出するための単一のセンサであってもよい。
【００２２】
イメージングデバイスは前記センサの上流に波長依存開口を含んでもよく、前記波長依存開口は中央領域の外側の可視光を遮るものである。
【００２３】
イメージングデバイスは前記筐体の外側にあるビデオプロセッサボックスを含んでもよい。
【００２４】
照明源はビデオプロセッサボックスと一体化されていてもよい。
【００２５】
ひとつ以上の実施の形態は、ターゲットを調べる方法を指向し、該方法は、前記ターゲットにおける第１照明分布を有する第１光出力および前記ターゲットにおける第２照明分布を有する第２光出力で前記ターゲットを同時に照らすことであって、前記第２照明分布が前記第１照明分布と実質的に似ており、前記第１および第２照明分布が前記ターゲットにおいて重なり合っており、前記ターゲット上での前記照明がイメージング視野と同じアスペクト比および視野カバレッジにマッチされる、照らすこと、を含む。
【００２６】
方法は、異なる視野を通じて前記第１および第２光出力を同時に操舵することを含んでもよい。
【００２７】
方法は、前記ターゲットからの光を受けることと、イメージング要素を用いてセンサ上に光を集束させることであって、前記イメージング要素が前記第１および第２光出力の同時操舵と同期して動かされる、集束させることと、を含んでもよい。
【００２８】
ひとつ以上の実施の形態はイメージングデバイスで用いられるドレープを指向し、該ドレープは、前記イメージングデバイスを包むバリア材と、前記バリア材における開口を定義するドレープウインドウフレームと、前記バリア材における前記開口内にあるドレープレンズと、前記ドレープウインドウフレームと一体化されたインタフェースであって、前記ドレープレンズを前記イメージングデバイスのウインドウフレームに固定するインタフェースと、を含む。
【００２９】
前記ドレープは前記イメージングデバイスの前記ウインドウフレームに挿入可能であってもよい。
【００３０】
前記インタフェースは、前記ドレープウインドウフレームの対向する側のそれぞれに対称的に組み込まれた二つのクランプを含んでもよい。
【００３１】
前記二つのクランプは前記ドレープウインドウフレームの上部および下部にある。
【００３２】
ひとつ以上の実施の形態は、ターゲットを撮像するプロセッサを指向する。該プロセッサは期間内に、励起光源を起動することで、前記ターゲットを照らすための励起パルスを生成することと、白色光源を起動することで前記ターゲットを照らすための白色パルスを、前記白色パルスが前記励起パルスと重ならず、かつ、前記白色パルスが前記期間内に少なくとも二回生成されるように、生成することと、前記励起パルス中に、蛍光露光時間の間、イメージセンサを曝すことと、少なくともひとつの白色パルス中に、可視露光時間の間、前記イメージセンサを曝すことと、前記イメージセンサからの出力を検出することと、環境光の補正を行うことと、結果として得られるイメージを出力することと、を行う。
【００３３】
環境光の補正を行うために、前記プロセッサは、センサ画素行の第１集合についての前記蛍光露光時間のある割合の間、前記イメージセンサのセンサ画素行の第１集合を曝すことと、前記蛍光露光時間全体の間、前記イメージセンサのセンサ画素行の第２集合を曝すことと、を行ってもよく、前記第１および第２集合は互いに異なる少なくともひとつの色を検出するためのものである。
【００３４】
前記ある割合は１／２であってもよい。
【００３５】
前記プロセッサは、以下の式を用いて前記蛍光信号Ｆを決定してもよい。
F=2*Exp2 - Exp1
ここで、Ｅｘｐ１は蛍光露光時間の前記ある割合の間の信号出力であり、Ｅｘｐ２は前記蛍光露光時間全体の間の信号出力である。
【００３６】
前記露光時間の前記ある割合は前記励起パルスの幅と等しくてもよい。
【００３７】
前記可視露光時間は前記少なくともひとつの白色パルスの幅よりも長くてもよい。
【００３８】
前記可視露光時間は前記期間内のひとつの白色パルスについてのものであってもよい。
【００３９】
前記可視露光時間は前記期間内の二つの白色パルスについてのものであってもよい。
【００４０】
環境光の補正を行うために、プロセッサは、ターゲットが前記期間内に少なくとも一度照らされることがない場合、バックグラウンド露光時間の間、前記イメージセンサを曝してもよい。
【００４１】
ひとつ以上の実施の形態は、ターゲットを撮像するための方法を指向する。該方法は期間内に、前記ターゲットを照らすための励起パルスを生成することと、前記ターゲットを照らすための白色パルスを、前記白色パルスが前記励起パルスと重ならず、かつ、前記白色パルスが前記期間内に少なくとも二回生成されるように、生成することと、前記励起パルス中に、蛍光露光時間の間、イメージセンサを曝すことと、少なくともひとつの白色パルス中に、可視露光時間の間、前記イメージセンサを曝すことと、前記イメージセンサからの出力を検出することと、環境光の補正を行うことと、結果として得られるイメージを出力することと、を含む。
【００４２】
環境光の補正を行うことは、前記蛍光露光時間のある割合の間、前記イメージセンサのセンサ画素行の第１集合を曝すことと、前記蛍光露光時間全体の間、前記イメージセンサのセンサ画素行の第２集合を曝すことと、を含んでもよく、前記第１および第２集合は互いに異なる少なくともひとつの色を検出するためのものである。
【００４３】
環境光の補正を行うことは、ターゲットが前記期間内に少なくとも一度照らされることがない場合、バックグラウンド露光時間の間、前記イメージセンサを曝すことを含んでもよい。
【００４４】
前記励起パルスを生成することは、一様でアナモルフィックな照明を前記ターゲットに提供することを含んでもよい。
【００４５】
一様でアナモルフィックな照明を前記ターゲットに提供することは、少なくとも二つの照明ポートからの照明を重ね合わせることを含む。
【００４６】
ひとつ以上の実施の形態は、イメージに蛍光強度を表示させる方法を指向する。該方法は、前記イメージの領域をカバーするターゲットレチクルを表示させることと、前記ターゲットレチクル内の正規化蛍光強度を算出することと、前記ターゲットに関連付けられたディスプレイ領域に前記正規化蛍光強度を表示させることと、を含む。
【００４７】
前記ディスプレイ領域は前記ターゲット上に投影されてもよい。
【００４８】
前記正規化蛍光強度は単一の数値および／または正規化蛍光強度の履歴プロットを含んでもよい。
【００４９】
ひとつ以上の実施の形態はキットを指向する。該キットは、互いに離間している少なくとも二つの照明ポートを含む照明モジュールであって、第１および第２照明分布がターゲットに同時に提供され、かつ、前記ターゲットにおいて重なり合うものである、照明モジュールと、前記ターゲットからの光を検出するセンサを含むイメージングモジュールと、を含む。
【００５０】
キットは、前記照明モジュールと前記イメージングモジュールとを囲む筐体を含んでもよい。
【００５１】
ひとつ以上の実施の形態は、例えば本明細書に記載のイメージングデバイスおよび方法で用いられる蛍光イメージング剤などのイメージング剤を指向する。ひとつ以上の実施の形態では、その使用は、血流イメージング、組織灌流イメージング、リンパイメージング、またはそれらの組み合わせを含んでもよく、それらは侵襲的手術、最低侵襲的手術、非侵襲的手術、またはそれらの組み合わせ中に生じてもよい。蛍光イメージング剤は本明細書で説明されるキットに含まれてもよい。蛍光イメージング剤はＩＣＧのみを含んでもよく、またはＩＣＧが他のイメージング剤と組み合わされてもよい。
【００５２】
ひとつ以上の実施の形態では、前記侵襲的手術は、心臓関連手術または再建手術を含んでもよい。前記心臓関連手術は、心臓冠動脈バイパス（ＣＡＢＧ）手術を含んでもよく、それはオンポンプおよび／またはオフポンプであってもよい。
【００５３】
ひとつ以上の実施の形態では、前記最低侵襲的手術または前記非侵襲的手術は、傷治療手術を含んでもよい。
【００５４】
ひとつ以上の実施の形態では、前記リンパイメージングは、リンパ節、リンパ節ドレナージ、リンパマッピング、またはそれらの組み合わせの特定を含んでもよい。前記リンパイメージングは前記女性の生殖システムに関してもよい。
【図面の簡単な説明】
【００５５】
例示的な実施の形態を添付の図面を参照して詳細に説明することにより、特徴が当業者に明らかになるであろう。
【００５６】
【図１】実施の形態に係る、照明およびイメージングのためのシステムの模式図を示す。
【００５７】
【図２】実施の形態に係る、照明モジュールの模式図を示す。
【００５８】
【図３Ａ】図３Ａおよび３Ｂはそれぞれ、実施の形態に係る、操舵可能ハウジング内の例示的なレンズモジュールの模式的な側面図および平面図を示す。
【図３Ｂ】図３Ａおよび３Ｂはそれぞれ、実施の形態に係る、操舵可能ハウジング内の例示的なレンズモジュールの模式的な側面図および平面図を示す。
【００５９】
【図４Ａ】実施の形態に係る、イメージングシステムの合焦および照明システムの操舵の同期のためのリンケージの模式図を示す。
【００６０】
【図４Ｂ】図４Ｂおよび４Ｃはそれぞれ、実施の形態に係る、イメージングシステムの合焦および照明システムの操舵の同期のためのリンケージの、下面図および上面図を示す。
【図４Ｃ】図４Ｂおよび４Ｃはそれぞれ、実施の形態に係る、イメージングシステムの合焦および照明システムの操舵の同期のためのリンケージの、下面図および上面図を示す。
【００６１】
【図５Ａ】図５Ａおよび５Ｂはそれぞれ、実施の形態に係る、遠い作業距離および近い作業距離におけるリンケージの下面図を示す。
【図５Ｂ】図５Ａおよび５Ｂはそれぞれ、実施の形態に係る、遠い作業距離および近い作業距離におけるリンケージの下面図を示す。
【００６２】
【図６Ａ】図６Ａおよび６Ｂは、実施の形態に係る、照明およびイメージングシステムの斜視上面図および斜視下面図を示す。
【図６Ｂ】図６Ａおよび６Ｂは、実施の形態に係る、照明およびイメージングシステムの斜視上面図および斜視下面図を示す。
【００６３】
【図７】実施の形態に係る筐体を示す。
【００６４】
【図８Ａ】図８Ａおよび８Ｂは、システムを例示的な異なる位置で利用可能なときのその異なる位置の斜視図を示す。
【図８Ｂ】図８Ａおよび８Ｂは、システムを例示的な異なる位置で利用可能なときのその異なる位置の斜視図を示す。
【００６５】
【図９】実施の形態に係るシステムで用いられるドレープを示す。
【００６６】
【図１０Ａ】図１０Ａから１０Ｃは、異なる照明構成についての照明分布を示す。
【図１０Ｂ】図１０Ａから１０Ｃは、異なる照明構成についての照明分布を示す。
【図１０Ｃ】図１０Ａから１０Ｃは、異なる照明構成についての照明分布を示す。
【００６７】
【図１１Ａ】実施の形態に係る、可視照明および励起照明についてのタイミング図を示す。
【００６８】
【図１１Ｂ】実施の形態に係る、可視照明および励起照明についてのタイミング図を示す。
【００６９】
【図１１Ｃ】実施の形態に係る、可視照明および励起照明についてのタイミング図を示す。
【００７０】
【図１１Ｄ】実施の形態に係る、可視照明および励起照明についてのタイミング図を示す。
【００７１】
【図１２Ａ】図１２Ａから１２Ｃは、実施の形態に係る、画素レイアウトおよび内挿スキームを示す。
【図１２Ｂ】図１２Ａから１２Ｃは、実施の形態に係る、画素レイアウトおよび内挿スキームを示す。
【図１２Ｃ】図１２Ａから１２Ｃは、実施の形態に係る、画素レイアウトおよび内挿スキームを示す。
【００７２】
【図１３Ａ】図１３Ａから１３Ｃはそれぞれ、非正規化蛍光強度、高い相対正規化蛍光強度、中程度の相対正規化蛍光強度の領域上にターゲットレチクルが置かれた場合のディスプレイ方法出力の実施の形態の図を示す。
【図１３Ｂ】図１３Ａから１３Ｃはそれぞれ、非正規化蛍光強度、高い相対正規化蛍光強度、中程度の相対正規化蛍光強度の領域上にターゲットレチクルが置かれた場合のディスプレイ方法出力の実施の形態の図を示す。
【図１３Ｃ】図１３Ａから１３Ｃはそれぞれ、非正規化蛍光強度、高い相対正規化蛍光強度、中程度の相対正規化蛍光強度の領域上にターゲットレチクルが置かれた場合のディスプレイ方法出力の実施の形態の図を示す。
【００７３】
【図１３Ｄ】ディスプレイ上の正規化蛍光強度値の信号時間履歴プロットを含むディスプレイ方法出力の実施の形態の図を示す。
【００７４】
【図１４】正規化蛍光強度を表示するディスプレイ方法出力の実施の形態を特徴付ける、解剖学的蛍光イメージングファントムの記録イメージを示す。
【００７５】
【図１５】図１に示される照明のためのシステムの例示的な照明源の例示的な光源を示す。
【００７６】
【図１６】図１の蛍光イメージングシステムの例示的なイメージングモジュールであってカメラモジュールを含むイメージングモジュールを示す。
【発明を実施するための形態】
【００７７】
以下に添付の図面を参照して例示的な実施の形態をより十分に説明するが、例示的な実施の形態は異なる態様で実現されうるものであり、本明細書で説明されるものに限定されるとみなされるべきではない。むしろ、これらの実施の形態は、本開示が完全であり、当業者に例示的な実装を十分に伝えるように提供される。種々のデバイス、システム、方法、プロセッサ、キットおよびイメージング剤が本明細書で説明される。デバイス、システム、方法、プロセッサ、キットおよびイメージング剤の少なくとも二つのバリエーションが説明されるが、他のバリエーションは、本明細書で説明されるデバイス、システム、方法、プロセッサ、キットおよびイメージング剤の態様を任意の適切なやり方で組み合わせたものであって説明される態様のうちの全てまたはいくつかの組み合わせを有するものを含みうる。
【００７８】
総じて、対応するかまたは同様な参照符号が、図面を通じて、同じまたは対応する部材を参照するために可能な場面で使用されるであろう。
【００７９】
空間的に相対的な語、例えば「の下」、「の下方」、「より低い」、「の上」、「の上方」など、は、本明細書において、図に示される、ある要素またはフィーチャと他の要素またはフィーチャとの関係の説明を容易にするために用いられてもよい。空間的に相対的な語が、図に示される配置構成に加えて、使用中または動作中のデバイスの異なる配置構成をも包含することを意図していることは理解されるであろう。例えば、図のデバイスが裏返された場合、他の要素またはフィーチャ「より下」や「より下方」として説明される要素は、今度は該他の要素またはフィーチャ「の上」に配置されることとなるであろう。したがって、例示的な語である「より下」は、上方および下方の両方の配置を包含しうる。デバイスはそうでないよう（９０度回転や他の配置構成など）に配置構成されてもよく、本明細書で用いられる空間的に相対的な記述子はそれにしたがい解釈されてもよい。
【００８０】
図１は、実施の形態に係る、照明およびイメージングシステム１０の模式図を示す。図１に示されるように、システム１０は、照明モジュール１１と、イメージングモジュール１３と、ビデオプロセッサ／照明器（ＶＰＩ）１４と、を含んでもよい。ＶＰＩ１４は、照明モジュール１１に照明を提供するための照明源１５と、制御信号を送信すると共に照明モジュール１１によって出力された光によって照らされたターゲット１２からの光であってイメージングモジュール１３によって検出された光についてのデータを受信するプロセッサアセンブリ１６と、を含んでもよい。照明源１５は、調査対象の特性およびターゲット１２の材質に依存して、例えば白色（ＲＧＢ）光やターゲット１２に蛍光を誘起するための励起光などの、異なる波長帯領域での光を出力してもよい。異なる波長帯での光は、照明源によって同時にまたは順番に出力されてもよい。照明およびイメージングシステム１０は、例えば、手術を容易化するために用いられてもよい。ターゲット１２は複雑な形状を有するターゲットであってもよい。例えば、組織や解剖学的構造や、照明時に影を作り出す輪郭及び形状を伴う他のオブジェクトを含む生体物である。ＶＰＩ１４は、結果として得られるイメージおよび関連情報を記録し、処理し、表示させてもよい。
【００８１】
図２は、実施の形態に係る、図１の照明モジュール１１の模式的斜視図を示す。図２に示されるように、照明モジュール１１は、ＶＰＩボックス１４に含まれていてもよい照明源２３から、例えば矩形ターゲットフィールド２４へと照明を導く少なくとも二つの照明ポートを含んでもよい。各照明ポートは、ターゲット材１２（図１に示される）において例えば実質的にまたは完全に光が重なり合うように、ターゲットフィールド２４上に照明を提供するためのものである。二つより多い照明ポートが用いられてもよい。照明分布はターゲットにおいて実質的に同様かつ実質的に重なり合い、これによりターゲット１２の一様な照明が提供される。少なくとも二つの照明ポートを用いることによって、解剖学的形状に起因する影の影響を低減し、ターゲットフィールド２４上に一様な照明を提供することを助けることができる。照明モジュール１１から矩形ターゲットフィールド２４へと照明を導くことによって、照明領域と矩形イメージング視野とをマッチングすることができ、これにより一様な照明を提供することを助けることができ、また、無駄な照明を低減することによって照明モジュールの効率を高めることができる。照明フィールドとイメージング視野とのマッチングはまた、現在撮像されている解剖学的領域の位置および広がりの役に立つ目安を提供する。
【００８２】
ある実施の形態では、光パイプを用いることで、一様な照明プロファイルを生じさせるための照明光の混合を達成することができる。光パイプによる照明光の混合によって、光源の構造が照明プロファイルに及ぼす影響を除去することができる。そのような影響は、除去されない場合は、照明プロファイルの一様性に悪影響を及ぼしうる。例えば、光パイプを用いて光ファイバ光ガイドから出力される照明光を混合することによって、照明プロファイルから、個々の光ファイバの構造のイメージを除去することができる。ある実施の形態では、矩形光パイプを用いることで、照明パワーを保存しつつ照明プロファイルと矩形イメージング視野とをマッチングしてもよい。ある実施の形態では、光学ガラス材Ｎ−ＳＦ１１などの、可視光および近赤外光の両方についての屈折率が高い光パイプ材が用いられると、照明パワー伝送の効率を高めることができる。
【００８３】
ある実施の形態によると、イメージング視野のアスペクト比にマッチするアスペクト比を伴う（例えば、両方のアスペクト比が１６：９である）矩形光パイプを、回転対称照明光学要素と連携して用いてもよい。
【００８４】
ある実施の形態によると、イメージング視野とは異なるアスペクト比を伴う（例えば、正方形光パイプに対して１６：９イメージング視野アスペクト比）矩形光パイプを、円柱照明光学要素と連携して用いてもよい。円柱光学要素を用いることで、イメージング視野のアスペクト比にマッチするよう矩形照明プロファイルの一方のまたは両方の寸法を個別に適合させることができる。
【００８５】
作業距離の範囲および照明の一様性についての所望のシステム要件に依存して、照明を矩形イメージング視野にマッチさせるための種々のアプローチを用いることができる。例えば、作業距離の範囲および照明の一様性についての高度の要求を伴うアプリケーションは、照明とイメージング視野とを十分にマッチさせるために動的に操舵される照明光学系の使用を必要とし得る一方、より低い要求を伴うアプリケーションには、照明と視野とをマッチさせるための固定照明光学系が用いられてもよい。
【００８６】
ある実施の形態では、照明を操舵するために、ドライバがひとつ以上の照明光学要素を回転させてもよい。
【００８７】
ある実施の形態では、照明を操舵するために、ドライバがひとつ以上の照明光学要素をイメージング光軸に対して垂直に移動させてもよい。
【００８８】
ある実施の形態では、ひとつ以上の照明光学要素は、関連するイメージングシステムの生来的な歪みに対応するために、照明プロファイルにいくらかの歪みを提供するよう構成されてもよい。
【００８９】
ある実施の形態では、指定された作業距離の範囲に亘るイメージング視野の一様な照明は、照明光学系の固定位置および向きで達成可能である。照明光学系のイメージング光軸からのオフセット距離は、照明光学系の向きと共に、指定された作業距離の範囲内のある作業距離における照明プロファイルとイメージング視野とのマッチングを最適化しつつ指定された範囲内の他の作業距離における照明プロファイルとイメージング視野との実質的なマッチングを維持するように、設定されてもよい。
【００９０】
図２に示されるように、各照明ポートは、レンズモジュール２０と、照明光源２３へと接続する接続ケーブル２２と、接続ケーブル２２の大きな開口数をレンズモジュール２０のより小さい開口数へと適合させる光パイプ２１と、を含んでもよい。レンズモジュール２０は、後に詳述されるように、操舵可能であってもよい。あるシナリオでは、操舵なしでも許容可能なパフォーマンスを達成することができる。言い換えると、少なくとも二つの照明ポートを用いるイメージングシステムの視野であって、各ポートが照明の勾配をその視野に生成し、オブジェクト面におけるその和の照明光束が照明フィールドの各ポイントでほぼ同じである視野、とマッチする矩形フォームファクタを有する照明を提供する（例えば、イメージング視野に亘って一様な照明を提供する）照明モジュールおよびそれを備えるイメージングデバイスだけで十分であってもよい。
【００９１】
図３Ａおよび３Ｂはそれぞれ、レンズモジュール２０の側面図および平面図を示す。レンズモジュール２０は、操舵可能レンズハウジング３０に取り付けられたレンズを含んでもよい。本明細書で用いられる場合、レンズは、屈折要素により実装されるか回折要素によって実装されるかにかかわらず、光学パワーを有する任意の光学要素である。図示を簡単化するため、レンズモジュールを囲むカバー（図２参照）などの理解のために本質的ではない他の要素は図示されない。
【００９２】
本明細書に示される特定の例では、レンズは、一対の水平軸円柱レンズ３１−３２と、一対の垂直軸円柱レンズ３３−３４と、を含んでもよい。照明光を意図する出力光軸に揃えることができるプリズム要素３５も示されている。特に、ある実施の形態によると、デバイスをよりコンパクトにするために、プリズム要素３５は光パイプ２１によって導入された角度を補正してもよい。各レンズ要素３１−３５の取り付けデザインは、照明光学系の倍率およびフォーカスの調整を可能としてもよい。この実施の形態によると、操舵可能レンズハウジング３０は三つの円柱レンズ３１、３３、３４およびプリズムレンズ要素３５を、例えばグループとしてまとめて、収容し操舵する。このレンズの例は単に説明のためのものであり、レンズモジュール２０のレンズは適宜変更されてもよい。
【００９３】
この特定の実施の形態では、操舵可能ハウジング３０のベース部分は、例えばハウジング孔３７に挿入されたピン４６（図６Ｂ参照）を用いて、ピボットポイント３６の周りで、それぞれ後に詳述される固定筐体フレーム９０（図６Ａ参照）および機械的リンケージ４０（図４Ａから４Ｃ参照）に、ピンされる。一方、レンズ３２は筐体９０に堅く接続される（すなわち、ハウジング３０には接続されない）（図６Ｂ参照）。
【００９４】
図４Ａは、リンケージ４０の種々のコンポーネントにより提供される運動方向を示す模式図である。リンケージ４０は、ドライブカム４１と、照明カム４５ａ、４５ｂ（各照明ポートにつきひとつ）と、イメージングカム４３と、を含んでもよい。ドライブカム４１はユーザから入力を受け（図６参照）、その入力を、対応するハウジング３０およびピン４６を介して、対応する照明カム４５ａ、４５ｂに取り付けられたレンズモジュール２０ａ、２０ｂの同期的な動きに変換し、また、カムフォロワピンを介して、イメージングカム４３に取り付けられたイメージングレンズ５１およびイメージングセンサ５２（図５Ａおよび５Ｂ参照）の同期的な動きに変換する。ここで、イメージングレンズ５１は単一の視野レンズとして描かれているが、ターゲット２０からの光をイメージングセンサ５２上に集束させるための追加的および／または代替的レンズを用いてもよい。各ポートはそれ自身の関連照明カム４５Ａおよび４５Ｂを有しており、ここではそれらはターゲット１２からの光を受けるための入力ウインドウの左右にあるものとして描かれている。
【００９５】
特に、ドライブカム４１の移動はイメージングカム４３をｘ軸に沿って移動させ、次いで、そのようなイメージングカム４３の移動はイメージングカム４３がイメージングレンズ５１およびイメージングセンサ５２をｚ軸に沿って移動させることおよび照明カム４５ａ、４５ｂを移動させることを引き起こし、次いで、そのような照明カム４５ａ、４５ｂの移動は対応するレンズモジュール２０ａ、２０ｂを対応するピボットポイント３６の周りで同時に操舵し、その結果、レンズモジュール２０ａ、２０ｂの操舵は、ターゲットからの光のセンサ５２上への適切な集束を保証するイメージングレンズ５１とイメージングセンサ５２との位置調整と同期的に行われる。あるいはまた、イメージングカム４３はイメージングレンズ５１のみをｚ軸に沿って移動させてもよく、またはターゲットからの光のセンサ５２上への適切な集束を保証するためにイメージング光学要素の任意の他の組み合わせを移動させてもよい。
【００９６】
図４Ｂは、実施の形態に係る、リンケージ４０の底面図を示し、図４Ｃはリンケージ４０の上面図を示す。ドライブカム４１は二つのドライブパーツ４１ａおよび４１ｂと、操舵が含まれる場合は、第３ドライブパーツ４１ｃと、を含んでもよく、それら全てはここでは堅く取り付けられることにより剛体的ドライブカム４１を形成しているように描かれている。同様に、イメージングカム４３は二つのイメージングパーツ４３ａおよび４３ｂを含んでもよい。ドライブカム４１は第１ドライブパーツ４１ａを介してユーザから（制御面６２を介して）入力を受け、ドライブパーツ４１ｂ内のカムフォロワピンを介してイメージングカム４３を移動させる。その結果、イメージングカムパーツ４３ａはセンサ５２を移動させ、イメージングカムパーツ４３ｂはイメージングレンズ５１を移動させる。リンケージに操舵が含まれる場合、第３ドライブパーツ４１ｃは、照明カムパーツ４５ａおよび４５ｂを移動させることによって、照明カムパーツ４５ａおよび４５ｂのそれぞれに関連付けられたピン４６（図６Ｂ参照）を用いてレンズモジュール２０ａ、２０ｂを同時に操舵する（回転させる）。ピン４６は、照明カム４５ａ、４５ｂのそれぞれのスロット４９およびレンズモジュール２０ａ、２０ｂの対応するハウジング孔３７を通じて挿入されてもよい。ドライブパーツ４１ｃはレンズモジュール２０ａ、２０ｂを同時に、それら両方が依然としてターゲット１２のターゲット視野において互いと同じ視野を照らすように、操舵する。
【００９７】
図５Ａおよび５Ｂはそれぞれ、実施の形態に係る、遠い作業距離および近い作業距離における、レンズモジュール２０ａ、２０ｂ、イメージング視野レンズ５１およびセンサ５２と組み合わされたリンケージの下面図を示す。それらの図に示されるように、リンケージ４０は、二つのサンプル作業距離照明操舵セッティングにおいて、照明源の操舵をイメージングシステムの合焦と同期させる。図５Ａ−５Ｂは、ユーザ入力から得られる二つの合焦位置における、レンズモジュール２０ａ、２０ｂ（ピボットピン３７の周りで回転する）ならびにレンズ５１およびセンサ５２（イメージングシステムの光軸５５に沿っておよびｚ軸に沿って移動する）の位置を示す。
【００９８】
図５Ａおよび５Ｂに示されるように、運動中の摩擦を最小化または低減するために、リンケージ機構４０内で軸方向に動く各部材は、二つの固定転がり要素４７およびひとつのバネ付勢転がり要素４８によってガイドされてもよい。リンケージ４０はまた、ドライブカム入力接続ポイント４２を含んでもよい。
【００９９】
図６Ａおよび６Ｂは、実施の形態に係る、デバイス１０の斜視上面図および斜視底面上面図を示す。図６Ａおよび６Ｂでは、照明モジュール１１およびイメージングモジュール１３は筐体９０に取り付けられている。筐体９０の上部は明確性のために取り除かれている。また、ドライブカム入力接続ポイント４２を介してユーザ入力からの動きをドライブカム４１の動きに変換するフォーカス駆動機構７０が示されている。
【０１００】
図６Ａに見られるように、イメージングモジュール１３の光軸５５はイメージングモジュールの中心を通り、またレンズモジュール２０ａ、２０ｂはイメージング光軸５５に対して対称に配置される。ターゲット１２からの結像されるべき光は、光軸５５に沿って進み、レンズ５１およびセンサ５２に入射する。波長依存開口５３は、可視光および蛍光、例えば近赤外（ＮＩＲ）光、の全ての透過を許すより小さな中央開口と、可視光を遮るが蛍光の透過を許すより大きな環囲開口と、を含み、レンズ５１の上流に設けられてもよい。
【０１０１】
図６Ｂおよび４Ａ−４Ｂを参照すると、ピン４６は、ハウジング３０のハウジング孔３７を介して、レンズモジュール２０と、リンケージ４０のスロット４９とを繋ぐ。また、ピボットポイントピン４４は、レンズモジュール２０を筐体９０に繋ぐ。
【０１０２】
図７は、照明モジュール１１およびイメージングモジュール１３を囲む人間工学的筐体６０の実施の形態を示す。人間工学的筐体６０は、異なる利用モード／設定で把持されるようデザインされている。例えば、走査イメージング姿勢における前方イメージングのためのピストルスタイルのグリップ（図８Ａ）であり、また、上からのイメージング姿勢において下向きにイメージングする際に用いられる垂直方向グリップ（図８Ｂ）である。図７に示されるように、筐体６０は、制御面６２と、グリップディテール６４と、ウインドウフレーム６８と、ノーズピース６６と、を含む。人間工学的筐体６０は光ガイドケーブル６７およびデータケーブル６５を介してＶＰＩボックス１４と接続可能であり、光がその光ガイドケーブル６７を通って照明ポート２０ａ、２０ｂに提供される。データケーブル６５は電力、センサデータおよび任意の他の（非光）接続を伝える。
【０１０３】
制御面６２は、リンケージ４０を制御するためのフォーカスボタン６３ａ（作業距離を減らす）および６３ｂ（作業距離を増やす）を含む。制御面６２上の他のボタンはプログラム可能であってもよく、種々の他の機能、例えば励起レーザ電源オン／オフ、ディスプレイモード選択、白色光イメージングのホワイトバランス、スクリーンショットの保存などのために用いられてもよい。フォーカスボタンに対して代替的にまたは追加的に、筐体に近接センサが設けられ、リンケージ４０を自動的に調整するために用いられてもよい。
【０１０４】
図８Ａに見られる通り、イメージングウインドウが前方を向くように筐体６０を持つ場合、親指は制御面６２上に置かれ、オペレータの手の他の指はグリップディテール６４の底部の周りに緩く巻かれている。  図８Bに見られる通り、イメージングウインドウが下を向くように筐体６０を持つ場合、グリップディテール６４は親指と人差し指との間にあり、指は制御面６２上の制御ボタンやスイッチにアクセスするよう巻き回される。グリップディテール６４は、垂直方向グリップにおいて手首の上でデバイスの重さの部分的なサポートを提供するよう形作られる。この場合、筐体６０は緩くぶら下がり、筐体６０をきつく握る必要がなくなる。したがって、筐体６０は複数の姿勢においてひとつの手で操作可能である。種々の他の実施の形態では、筐体６０はサポート（例えば、移動可能サポート）上で支持されてもよい。
【０１０５】
ウインドウフレーム６８（図９も参照）は、筐体６０の異なるウインドウを規定する。言い換えると、ウインドウフレーム６８は、二つのレンズモジュール２０ａ、２０ｂに対応するウインドウ６８ａ、６８ｂを規定すると共に、ターゲットからの光であってセンサ５２に入射すべき光のための入力ウインドウとして機能するウインドウ６８ｃを規定する。
【０１０６】
図９に示されるように、筐体６０はドレープ８０と協働して用いられてもよい。ドレープ８０は手術中の使用に適した手術ドレープであってもよい。ドレープは、ドレープ材８１と、ドレープレンズ８２と、ドレープレンズを囲むドレープウインドウフレーム８３と、ドレープウインドウフレーム８３と一体化されたインターロックインタフェース８４と、を含む。ドレープ材８１は、筐体６０内のデバイスを包み、また必要に応じて他の任意のものをカバーするためのものである。ドレープウインドウフレーム８３は筐体ノーズピース６６の形状に従っており、この場合、ドレープウインドウフレーム８３は、ウインドウ６８ａから６８ｃを邪魔することなく筐体ノーズピース６６に挿入されてもよい。ドレープ８０は、ドレープレンズ８２がイメージングおよび照明ウインドウフレーム６８と例えば０．５ｍｍ内で同一平面内となることを保証することによって、反射およびイメージゴーストを最小化するよう設計される。ドレープ８０はインターロックインタフェース８４を用いてもよい。これは筐体ノーズピース６６の内側の面上の凹部に嵌まることでそれと同一平面となるよう係止されてもよい。
【０１０７】
筐体ノーズピース６６の内側の面または外側の面上でひとつ以上のインターロックインタフェース８４を用いることで、ウインドウフレーム６８に対してドレープレンズ８２がしっかり密に嵌まることを確かにしてもよい。示される特定の実施の形態では、二つのインタフェース８４が用いられており、ひとつはドレープウインドウフレーム８３の上部、もうひとつは下部にあり、それぞれ筐体ノーズピース６６の内側の面に係合する。
【０１０８】
図１０Ａから１０Ｃは、照明リング（図１０Ａ）、一対の固定アナモルフィック投影照明源（図１０Ｂ）、および実施の形態に係る一対の操舵アナモルフィック投影照明源（図１０Ｃ）についての、矩形イメージング視野（輪郭）に対する典型的な照明分布（塗り）を示しており、それぞれ１０ｃｍ（左列）、１５ｃｍ（中央列）、および２０ｃｍ（右列）の作業距離のものが示される。図１０Ａは、陰影を最小化するための照明ポートのリングの使用を示すが、照明とイメージング視野とのマッチングを行っておらず、全ての作業距離において一様な照明は提供されていない（例えば、距離にしたがい分布が変わる）図１０Ｂは、固定された二つの照明源（例えば、円柱レンズや加工されたディフューザを特徴とする照明レンズ構成を用いる）からのアナモルフィック投影を示しており、したがって、それらは固定の作業距離、例えば１５ｃｍ、におけるイメージング視野とマッチする一様な照明のために良く較正されているが、他の距離においてはそれが大きいか小さいかに関わらず、同等な一様性はなく、マッチングも不良である。上述の通り、そのような照明は多くの場合、それ自体で許容可能である。図１０Ｃは、実施の形態に係る、作業距離（およびイメージング焦点）を変えるときに、照明を操舵することによって、一様な照明を良好に維持し、かつ、照明を視野へ良好に制限する能力を示す。
【０１０９】
上述の通り、用いられる照明は、白色光と、ターゲットからの近赤外（ＮＩＲ）光を励起するための例えばレーザからの蛍光励起照明と、の両方を含んでもよい。しかしながら、環境光がターゲットからの光と干渉する可能性がある。
【０１１０】
図１１Ａは、白色光（ＲＧＢ）および蛍光励起（レーザ）照明のタイミング図、並びに単一のセンサで蛍光信号からの環境部屋光の減算を可能とするよう構成される可視（ＶＩＳ）およびＮＩＲ蛍光（ＦＬ）イメージングセンサ露光を示す。本明細書で用いられる場合、白色パルスは白色光（ＲＧＢ）がターゲットを照らすことを示し、励起パルスはレーザがターゲットを照らすことを示す。
【０１１１】
偶数（Ｅｘｐ１）および奇数（Ｅｘｐ２）センサピクセル行の露光が、異なる露光時間でインターリーブされているように示されており、これにより、環境部屋光信号成分の評価の分離が促進される。そのようなインターリーブ化露光読み出しモードは、CMOSIS CMV2000センサで提供される「High Dynamic Range Interleaved Read-out」モードなどのように、あるイメージングセンサで提供される。
【０１１２】
８０Ｈｚで白色光照明をパルス出力すると、点滅光の周波数が、人の目で知覚可能な周波数またはてんかん発作をトリガしうる周波数を超える。可視光イメージ露光は、ＲＧＢ照明よりも例えば２倍長くてもよい。これにより、６０Ｈｚの露光フレームレートと８０ＨｚのＲＧＢ照明パルスとの間の重複が確保される。可視露光中に取得された余分な環境光は無視されてもよい。ＲＧＢ照明パルスおよびターゲット１２からの信号の強度の方がはるかに強いからである。
【０１１３】
ＮＩＲ蛍光イメージ露光時間Ｅｘｐ１およびＥｘｐ２をそれぞれ１／２フレーム周期分、１／４フレーム周期分、取得するようセットしつつ、２フレームおきに最後の１／４フレームのみにおいて励起レーザを駆動することによって、偶数行（Ｅｘｐ１）はＮＩＲ蛍光の１／４フレームに加えて環境部屋光の１／２フレームを記録し、一方、奇数行（Ｅｘｐ２）はＮＩＲ蛍光の１／４フレームおよび環境部屋光の１／４フレームを記録する。各可視またはＮＩＲ蛍光フレーム内でこれらの断片露光を行うことで、そうでなければ環境部屋光減算のためにフレームシーケンスに挿入される追加的な露光フレームによって生じうる動きの乱れを最小化できる。
【０１１４】
そのような取得デザインでは、環境部屋光のイメージ信号への寄与の評価は、Ｅｘｐ１センサ行（Ｅｘｐ２画素位置に合うよう内挿される）からＮＩＲ蛍光イメージのＥｘｐ２センサ行を減じることによって分離可能であり、これにより環境部屋光信号の１／４フレームの評価が生じる。環境部屋光信号の１／４フレームの評価は次いでＮＩＲ蛍光イメージのＥｘｐ２センサ行から減じられ、その結果環境部屋光の１／４フレームが除去されたＮＩＲ蛍光信号の評価が生じる。照明および露光の制御はＶＰＩボックス１４によって行われてもよい。
【０１１５】
ある実施の形態では、上述の部屋光減算方法は、ベイヤーパターンカラーセンサの使用を許容するために変えられてもよい。図１２Ａは、カラーセンサ画素のベイヤーパターン配列を示す。そこでは、偶数センサ行および奇数センサ行は異なるフィルタ配列を有し（例えば、偶数センサ行には赤画素がなく、奇数センサ行には青画素がない）、そのため偶数行で記録された環境光は、同じ期間中に奇数行に至った環境光のよい評価とはならないであろう。しかしながら、個々全ての行は緑画素信号を含み、それはまたＮＩＲ蛍光にも感度を有する。緑画素のみを用いることで、および、緑画素信号から他の画素位置への二次元内挿を行うことで、環境光信号成分の評価を得ることができ、したがって、ＮＩＲ光イメージおよび可視光イメージのそれぞれについて、ＮＩＲ蛍光成分の評価および可視光成分の評価を得ることができる。
【０１１６】
所与の位置でのNIR信号値を計算するために、その位置の近くのＥｘｐ１（偶数行）およびＥｘｐ２（奇数行）の緑画素値を計算し、それらの値のうちの一方または両方は内挿される必要がある。図１２Ｂは例を示しており、そこでは、赤画素位置において、Ｅｘｐ１（偶数行）の緑値の最良の評価は直上および直下の緑値の平均であり、一方、Ｅｘｐ２（奇数行）の緑値の最良の評価はすぐ左およびすぐ右の緑値の平均である。
【０１１７】
以下の数学的例は、環境部屋光減算方法の実施の形態を説明するのに役に立つ。Ａ＝１／４フレーム周期中における入射環境光、およびＦ＝１／４フレーム周期中における入射蛍光、とするとき、
Exp 1 = 2A + F
Exp 2 = A + F
Ｆについて解くと、
F = 2*Exp2 - Exp1
【０１１８】
図１１Ａに示される特定の例では、検出周期は３フレームであり、白色光パルスおよび励起パルスは同じ継続期間または幅を有するが、異なる周波数を有し、可視光は２フレーム、例えば最初の二つのフレーム、の間に検出され、蛍光は二つの異なる露光時間でひとつのフレーム、例えば三番目または最後フレーム、の間に検出される。図に示されるように、可視露光時間は白色光パルスの継続時間の二倍であってもよく、第１蛍光露光時間は励起パルスの継続時間と等しくてもよく、第２蛍光露光時間は励起パルスよりも例えば２倍長いパルスであってもよい。さらに、可視露光は白色光パルスとは異なる周波数を有してもよい。例えば、可視露光は個々全ての白色光パルスに伴って生じなくてもよく、一方、蛍光露光は励起パルスと同じ周波数を有してもよい。
【０１１９】
以下に、代替的なタイミングおよび露光ダイアグラムを説明する。そこでは、共通露光継続時間の間全てアクティブである行を有するセンサが用いられてもよいが、依然として、単一のセンサを用いて環境光が補償される。例えば、ターゲットが照らされていないときに、センサによって背景光が直接検出されてもよい。パルス、暴露および検出についての他の変形例は当業者には明らかであろう。
【０１２０】
図１１Ｂは、白色光（ＲＧＢ）および蛍光励起（レーザ）照明の代替的なタイミング図、並びに単一のセンサで蛍光信号からの環境部屋光の減算を可能とするよう構成される可視（ＶＩＳ）およびＮＩＲ蛍光（ＦＬ）イメージングセンサ露光を示す。可視光の露光および蛍光の露光が、環境光に起因する背景（ＢＧ）イメージ信号を取得するための露光と共に、シーケンスで示されている。上述の通り、白色光照明は８０Ｈｚでパルス出力されてもよい。蛍光励起照明は２０Ｈｚでパルス出力されてもよく、パルス継続時間または幅は、白色光パルス継続時間の例えば二倍まで増やされてもよく、これにより対応する蛍光露光をより長くすることができる。グローバルシャッターを伴うイメージングセンサを用いる場合、各センサ露光は、イメージングフレームの終端において、読み出し周期で終わらなければならない。環境光背景イメージ信号を取得するための露光は、パルス化白色光も励起光もないときに、フレームの終わりの部分で行われてもよい。図１１Ｂの例に示されるように、ビデオを６０Ｈｚのフレームレートで取得する場合、白色光照明パルス幅として１／４フレーム継続時間を用いてもよく、このとき、白色光照明パルスの終わりがフレームの終わりと揃うフレームにおいて１／４フレーム継続時間の可視光露光が生じる。
【０１２１】
ひとつ以上の背景露光中に記録されたスケール済みイメージ信号を、各蛍光露光イメージから減じることで、蛍光イメージから環境光の寄与を除去してもよい。例えば、１／４フレーム継続時間の背景露光からのイメージ信号を二倍にスケールアップして、１／２フレーム継続時間の蛍光露光からの後続イメージ信号から減じてもよい。他の例として、１／２フレーム継続時間の蛍光露光のイメージ信号の前の１／４フレーム継続時間の背景露光のイメージ信号と、蛍光露光に続く第２の１／４フレーム背景イメージ信号と、の両方を蛍光イメージ信号から減じてもよい。第１背景露光および第２背景露光からのイメージ信号のスケーリングは、第１露光時点および第２露光時点からの画素値の内挿により、中間時点に対応する画素値を予測することを含んでもよい。
【０１２２】
より高いビデオフレーム取得レートを可能にする高速読み出しを伴うイメージングセンサを用いることで、所与の白色光パルス周波数についての照明および露光タイミングスキーム内で、追加的な露光期間を割り当てることが可能となる。例えば、上述のような８０Ｈｚのの白色光照明パルスを維持しつつ、１２０Ｈｚなどのより高いビデオフレーム取得レートを伴うセンサを用いることで、６０Ｈｚなどのより遅いビデオフレーム取得レートを用いる場合と比べて、所与の期間内で、白色光露光、環境背景露光、または蛍光露光を追加することができる。
【０１２３】
図１１Ｂに示される特定の例では、検出周期は３フレームであり、励起パルスは白色光パルスの幅の二倍の幅を有し、可視光はひとつのフレーム、例えば最初のフレーム、の間に検出され、背景光はひとつのフレーム、例えば二番目のフレーム、の間に検出され、蛍光はひとつのフレーム、例えば三番目または最後フレーム、の間に検出される。ここで、可視露光時間は白色光パルスの継続時間と等しくてもよく、蛍光露光時間は白色光パルスの継続時間と等しくてもよく、蛍光露光時間は励起パルスの継続時間と等しくてもよい。さらに、可視露光は白色光パルスとは異なる周波数を有してもよい。例えば、可視露光は個々全ての白色光パルスに伴って生じなくてもよく、一方、蛍光露光は励起パルスと同じ周波数を有してもよい。最後に、蛍光露光は期間内にただ一度のみ生じてもよい。
【０１２４】
図１１Ｃは、白色光（ＲＧＢ）および蛍光励起（レーザ）照明の代替的なタイミング図、並びに１２０Ｈｚのビデオフレーム取得レートを伴う単一のセンサで蛍光信号からの環境部屋光の減算を可能とするよう構成される可視（ＶＩＳ）およびＮＩＲ蛍光（ＦＬ）イメージングセンサ露光を示す。８０Ｈｚの白色光パルス周波数が用いられ、白色光照明パルス幅として１／２フレーム継続時間を用いてもよく、このとき、白色光照明パルスの終わりがフレームの終わりと揃うフレームにおいて１／２フレーム継続時間の可視光露光が生じる。蛍光励起照明は４０Ｈｚでパルス出力され、パルス継続期間は１フレームであるように示されており、これにより、対応する蛍光露光の周波数を高めることができる。環境光背景イメージ信号を取得するための露光は、パルス化白色光も励起光もないときに、フレームの終わりの部分で行われてもよい。例えば、この例示的な実施の形態に示されるように、蛍光露光とその次の白色光露光との間のフレームにおいて１／２フレーム継続期間の露光が生じてもよい。
【０１２５】
図１１Ｃに示される特定の例では、検出周期は３フレームであり、励起パルスは白色光パルスの幅の二倍の幅を有し、可視光はひとつのフレーム、例えば二番目のフレーム、の間に検出され、背景光はひとつのフレーム、例えば最初のフレーム、の間に検出され、蛍光はひとつのフレーム、例えば三番目または最後フレーム、の間に検出される。ここで、可視露光時間は白色光パルスの継続時間と等しくてもよく、背景露光時間は白色光パルスの継続時間と等しくてもよく、蛍光露光時間は励起パルスの継続時間と等しくてもよい。さらに、可視露光は白色光パルスとは異なる周波数を有してもよい。例えば、可視露光は個々全ての白色光パルスに伴って生じなくてもよく、一方、蛍光露光は励起パルスと同じ周波数を有してもよい。最後に、蛍光露光は期間内にただ一度のみ生じてもよい。
【０１２６】
用いられる蛍光励起光の強度に依存して、励起光パルスの継続時間や周波数を制限する安全への配慮が存在しうる。適用される励起光強度を低減するためのひとつのアプローチは、励起光パルスの継続時間および対応する蛍光露光を低減することである。追加的にまたは代替的に、励起光パルス（および対応する蛍光露光）の周波数を低減してもよく、そうでなければ蛍光露光のために用いられるはずの読み出し期間を代わりに背景露光のために用いることで、環境光の測定を改善してもよい。
【０１２７】
図１１Ｄは、白色光（ＲＧＢ）および蛍光励起（レーザ）照明の代替的なタイミング図、並びに１２０Ｈｚのビデオフレーム取得レートを伴う単一のセンサで蛍光信号からの環境部屋光の減算を可能とするよう構成される可視（ＶＩＳ）およびＮＩＲ蛍光（ＦＬ）イメージングセンサ露光を示す。８０Ｈｚの白色光パルス周波数が用いられ、白色光照明パルス幅として１／２フレーム継続時間を用いてもよく、このとき、白色光照明パルスの終わりがフレームの終わりと揃うフレームにおいて１／２フレーム継続時間の可視光露光が生じる。蛍光励起照明は２０Ｈｚでパルス出力され、パルス継続期間は１フレームであるように示される。環境光背景イメージ信号を取得するための露光は、パルス化白色光も励起光もないときに、フレームの終わりの部分で行われてもよい。例えば、この例示的な実施の形態に示されるように、蛍光露光とその次の第１白色光露光との間のフレームにおいて１／２フレーム継続期間の背景露光が生じてもよく、また、第１白色光露光とその次の第２白色光露光との間のフレームにおいて１フレーム継続期間の第１背景露光および１／２フレーム継続期間の第２背景露光の両方が生じてもよい。
【０１２８】
図１１Ｄに示される特定の例では、検出周期は６フレームであり、励起パルスは白色光パルスの幅の二倍の幅を有し、可視光は２フレーム、例えば二番目および五番目のフレーム、の間に検出され、背景光は３フレーム、例えば最初、三番目および四番目のフレーム、の間に検出され、蛍光はひとつのフレーム、例えば六番目または最後フレーム、の間に検出される。ここで、可視露光時間は白色光パルスの継続時間と等しくてもよく、背景露光時間は白色光パルスの継続時間と等しいかその二倍であってもよく、蛍光露光時間は励起パルスの継続時間と等しくてもよい。さらに、可視露光は白色光パルスとは異なる周波数を有してもよい。例えば、可視露光は個々全ての白色光パルスに伴って生じなくてもよく（例えば、期間内に二回だけ）、一方、蛍光露光は励起パルスと同じ周波数を有してもよい。最後に、背景露光は期間内に三回生じ、その総継続時間は白色光パルスの継続時間の四倍であってもよい。
【０１２９】
上述のような環境部屋光補償方法のパフォーマンスを改善するために、可視光およびＮＩＲ光の全ての透過を許すより小さな中央開口と可視光を遮るがＮＩＲ光の透過を許すより大きな環囲開口とを含む波長依存開口（例えば、図６Ａの要素５５）を用いてもよい。そのような波長依存開口を用いることで、可視光信号に対してより大きな割合でＮＩＲ信号を収集することができ、これにより、環境部屋光成分の評価および除去のためのイメージ信号減算のパフォーマンスを改善することができる。波長依存開口はまた、可視光およびＮＩＲ光の両方を遮るより大きな第３開口であって、他のより小さな開口を囲む第３開口を特徴としてもよい。例として、波長依存開口はフィルム開口を備えてもよい。可視光の透過をブロックするがＮＩＲ光の透過を許す物質のフィルム（例えば、プラスチックまたはガラスフィルム）は、可視光およびＮＩＲ光の両方の透過を許す中央開口（例えば、孔）を有する。そのようなフィルム開口は、反射を通じて可視光の透過をブロックする物質、および／または吸収を通じて可視光の透過をブロックする物質を含んでもよい。他の例として、波長依存開口は、単一の基板上へのマスクされた薄膜形成により形成されたダイクロイック開口を備えてもよい。可視光およびＮＩＲ光の透過を許す薄膜はより小さい中央開口に形成され、可視光の透過をブロックするがＮＩＲ光の透過を許す第２薄膜はより大きな環囲開口に形成為れる。波長依存開口のより小さな中央開口およびより大きな環囲開口のそれぞれの開口サイズは、イメージングシステムによる撮像の際に可視光の被写界深度およびＮＩＲ光の被写界深度が実質的に同様になるように、設定されてもよい。ひとつ以上の波長依存フィルタは、デバイス全体に亘って異なる位置に置かれてもよい。そこでは、可視信号の拒絶とＮＩＲ信号の通過とが最適化されてもよい。例えば、そのような波長依存フィルタをレンズ５１の直前においてもよい。他の例として、ひとつ以上の波長依存フィルタをイメージングレンズの瞳面においてもよい。
【０１３０】
撮像されている視野内の領域の周りにターゲットレチクルを表示し、正規化蛍光強度をその領域内に計算して表示すると、例えば異なる領域の蛍光信号をより容易に比較するために、便利であろう。測定された蛍光強度値の正規化は、複数のイメージおよび対応する値の意味のある比較を可能とする。測定された蛍光強度の作業距離（例えば、撮像されている解剖学的構造とイメージングシステムとの距離）による変動を補正するために、正規化された蛍光強度値は、測定された蛍光強度値とターゲットレチクル領域内の反射光値との間の比に基づいてもよい。
【０１３１】
ターゲットレチクル領域内の正規化蛍光強度値の数値表現はイメージフレームに、またはイメージフレームの近くに、表示されてもよい。これにより、ターゲットレチクルを撮像されている解剖学的構造上の異なる位置に向けたときの値の比較がより容易となる。例えば、数値表現は、ターゲットレチクル領域内の全てのイメージ画素に亘る、正規化蛍光強度値の平均値であってもよい。
【０１３２】
追加的にまたは代替的に、ターゲットレチクル領域内の正規化蛍光強度値の数値表現の時間履歴プロットはイメージフレームに、またはイメージフレームの近くに、表示されてもよい。これにより、ターゲットレチクルを撮像されている解剖学的構造上の異なる位置に、または、一連の時点に亘る同じ位置に、向けたときの値の比較がより容易となる。そのような時間履歴プロットは、ユーザが、解剖学的関心領域に亘って走査し、相対正規化蛍光強度プロファイルプロットを見ることによって、撮像された組織表面における蛍光プロファイルを評価するのをさらに助けることができる。
【０１３３】
図１３Ａは、ディスプレイ方法の実施の形態から出力されるサンプルディスプレイの図を示す。ターゲットレチクル１２５は撮像されている解剖学的構造１２０の蛍光強度が無い領域１２２の上に位置し、蛍光強度の数値表現１２６はターゲットレチクル１２５の近くに表示される。図１３Ｂは、他のサンプルディスプレイ出力の図を示す。ターゲットレチクル１２５は高い相対正規化蛍光強度の領域１２４の上に位置し、対応する比較的高い蛍光強度の数値表現１２６を示している。図１３Ｃは、他のサンプルディスプレイ出力の図を示す。ターゲットレチクル１２５は中程度の相対正規化蛍光強度の領域１２４の上に位置し、対応する比較的中程度の蛍光強度の数値表現１２６を示している。図１３Ｄは、サンプルディスプレイ出力の図を示す。ターゲットレチクル１２５は中程度の相対正規化蛍光強度の領域１２４の上に位置し、正規化蛍光強度の数値表現の時間履歴プロット１２８を示している。このプロット１２８は、ゼロ相対正規化蛍光強度の領域、高い相対正規化蛍光強度の領域および中程度の相対正規化蛍光強度の領域を順にイメージングしたことと整合している。ターゲット上に数値表現および／または履歴プロットを表示することに対して代替的にまたは追加的に、例えばデバイス自身または他のディスプレイ上のターゲットレチクルに関連付けられたディスプレイ領域がこの情報を表示してもよい。
【０１３４】
図１４は、正規化蛍光強度を表示するディスプレイ方法出力の実施の形態を特徴付ける、解剖学的蛍光イメージングファントムの記録イメージを示す。特に、ターゲット１１０は実施の形態にしたがい励起光により照らされ、ターゲットレチクル１１５は蛍光強度の領域１１２の上に位置する。ターゲットレチクル１１５の数値表現は、ターゲットレチクル１１５に関連付けられた領域１１６に表示される。レチクル１１５の異なる位置のイメージングに起因する正規化蛍光強度の数値表現の時間履歴プロット１１８が表示されてもよい。
【０１３５】
そのようなディスプレイ方法は種々の蛍光イメージングシステムにおいて役に立つものであろう。そのような種々の蛍光イメージングシステムは、内視鏡または腹腔鏡蛍光イメージングシステムや、オープンフィールド蛍光イメージングシステムやそれらの組み合わせを含む。蛍光強度値のそのような正規化および表示は、イメージングセッション内の種々の時点からのイメージデータ間での相対蛍光強度の定量的比較の役に立ちうる。適切に標準化された蛍光剤投与およびイメージングプロトコル並びにイメージングデバイスの標準化された較正と組み合わせることで、蛍光強度値のそのような正規化および表示は、さらに、異なるイメージングセッションからのイメージデータ間での相対蛍光強度の定量的比較の役に立ちうる。
【０１３６】
例
【０１３７】
イメージデータの取得のための蛍光医療イメージングシステム
【０１３８】
ある実施の形態では、対象の照明およびイメージングのためのシステムは、例えば蛍光医療イメージングデータを取得するための蛍光医療イメージングシステムなどの医療イメージングシステムと共に用いられるか、またはそれのコンポーネントとして用いられてもよい。そのような蛍光医療イメージングシステムの例は、図１に模式的に示される蛍光イメージングシステム１０である。この実施の形態では、蛍光イメージングシステム１０は、蛍光イメージング剤が組織を通過するのを取得する蛍光信号強度データ（例えば、イメージ、ビデオ）の時系列を取得するよう構成される。
【０１３９】
蛍光イメージングシステム１０（図１）は、対象の組織を照らすことで対象の組織における（例えば、血中の）蛍光イメージング剤１７からの蛍光放射を誘導する照明源１５および照明モジュール１１と、蛍光放射からの蛍光イメージの時系列を取得するよう構成されたイメージングモジュール１３と、本明細書に記載された種々の実施の形態にしたがい蛍光イメージ（蛍光信号強度データ）の取得された時系列を用いるよう構成されたプロセッサアセンブリ１６と、を備える。
【０１４０】
種々の実施の形態では、照明源１５（図１）は例えば光源２００（図１５）を備え、該光源２００は、蛍光イメージング剤１７を励起するのに適切な強度および波長を有する励起光を生成するよう構成された蛍光励起源を含む。図１５の光源２００は、蛍光イメージング剤１７（不図示）を励起するための励起光を提供するよう構成されたレーザダイオード２０２（例えば、これは例えばひとつ以上のファイバ結合ダイオードレーザを含んでもよい）を備える。種々の実施の形態において用いられ得る励起光の他のソースの例は、ひとつ以上のＬＥＤ、アークランプ、または組織内（例えば、血液内）の蛍光イメージング剤１７を励起するのに十分な強度および適切な波長の他の照明技術を含む。例えば、血中の蛍光イメージング剤１７の励起（該蛍光イメージング剤１７は近赤外線励起特性を伴う蛍光色素）は、DILAS Diode Laser Co, Germanyから入手可能なひとつ以上の７９３ｎｍ、伝導冷却、シングルバー、ファイバ結合レーザダイオードモジュールを用いて実行されてもよい。
【０１４１】
種々の実施の形態では、図１５の光源２００からの光出力を光学要素（例えば、ひとつ以上の光学要素）を通じて投影することで、組織の関心領域を照らすのに用いられている出力を形成しかつ導いてもよい。形成光学系は、イメージングモジュール１３の視野の実質的全体に亘る平坦なフィールドが得られるように、ひとつ以上のレンズ、光ガイド、および／または回折要素を含んでもよい。特定の実施の形態では、蛍光励起源は、蛍光イメージング剤１７（例えば、ＩＣＧ）の最大吸収に近い波長で放射するよう選択される。例えば、図１５の光源２００の実施の形態を参照すると、レーザダイオード２０２からの出力２０４はひとつ以上の収束レンズ２０６を通過し、例えばNewport Corporation, USAから普通に取得可能なライトパイプなどの均質化ライトパイプ２０８を通過する。最後に、光は、例えばNewport Corporation, USAから取得可能なすりガラス回折要素などの光学回折要素２１４（例えば、ひとつ以上の光学ディフューザ）を通過する。レーザダイオード２０２自身への電力は、例えばLumina Power Inc., USAから取得可能な大電流レーザドライバなどによって提供されてもよい。レーザは、オプションで、イメージ取得プロセス中、パルスモードで動作してもよい。本実施の形態では、ソリッドステートフォトダイオード２１２などの光学センサは光源２００に組み込まれ、光源２００によって生成される照明強度を、種々の光学要素からの散乱や拡散反射を介してサンプルする。種々の実施の形態では、追加的な照明源を用いることで、関心領域の上でモジュールを整列させ位置決めするときのガイドを提供してもよい。種々の実施の形態では、図１５に示される光源２００のコンポーネントのうちの少なくともひとつは、照明源１５を備えるおよび／または照明モジュール１１を備えるコンポーネントであってもよい。
【０１４２】
図１を再度参照すると、種々の実施の形態では、イメージングモジュール１３は例えば蛍光イメージングシステム１０のコンポーネントであってもよく、蛍光イメージング剤１７からの蛍光放射から蛍光イメージの時系列（例えば、ビデオ）を取得するよう構成されてもよい。図１６を参照すると、カメラモジュール２５０を備えるイメージングモジュール１３の例示的な実施の形態が示される。図１６に示されるように、カメラモジュール２５０は、蛍光放射を少なくともひとつの二次元ソリッドステートイメージセンサを含むイメージセンサアセンブリ２６４上に集束させるためのイメージングオプティクスのシステム（例えば、フロント要素２５４、排除フィルタ２５６、ダイクロイック２６０およびリア要素２６２）を用いることで、組織内（例えば、血液中）（不図示）の蛍光イメージング剤１７からの蛍光放射２５２のイメージを取得してもよい。排除フィルタ２５６は、例えば、励起光に対応する波長帯を排除するために用いられるノッチフィルタであってもよい。ダイクロイック２６０は、例えば、入来光波長スペクトルのある部分集合を選択的に通過させ、残りの波長を排除のために光路から離れるようまたは別個のイメージセンサに向けて再方向付けするのに用いられるダイクロイックミラーであってもよい。ソリッドステートイメージセンサは、電荷結合デバイス（ＣＣＤ）、ＣＭＯＳセンサ、ＣＩＤまたは同様の二次元センサ技術であってもよい。イメージセンサアセンブリ２６４によって変換された光信号から得られる電荷は、カメラモジュール２５０内の適切な読み出しおよび増幅エレクトロニクスによって、デジタルビデオ信号およびアナログビデオ信号の両方を含む電子ビデオ信号に変換される。
【０１４３】
ある実施の形態によると、ＩＣＧ蛍光イメージング用のＮＩＲ互換光学系と共に、約８００ nm +/- １０ nmの励起波長および> ８２０ nmの放射波長が用いられる。当業者であれば、他のイメージング剤用に、他の励起波長および放射波長が用いられうることを理解するであろう。
【０１４４】
図１に戻り、種々の実施の形態では、プロセッサアセンブリ１６は例えば以下を含む。
・種々の処理動作を行うよう構成されたプロセッサモジュール（不図示）であって、処理動作がコンピュータ可読媒体に保持されるインストラクションを実行することを含み、インストラクションが本明細書で説明されたシステムのうちのひとつ以上に本明細書で説明された方法および技術を実行させる、プロセッサモジュール
・動作からのデータを記録し保持するための、また、ある実施の形態ではプロセッサモジュールによって実行可能なインストラクションを保持するためのデータストレージモジュール（不図示）であって、該インストラクションは本明細書で開示された方法および技術を実装するためのものである、データストレージモジュール。
【０１４５】
種々の実施の形態では、プロセッサモジュールは、例えばタブレットやラップトップやデスクトップやネットワークコンピュータや専用スタンドアローンマイクロプロセッサなどの任意のコンピュータまたは計算手段を含む。入力は、例えば、図１６に示されるカメラモジュール２５０のイメージセンサ２６４から、図１５の光源２００のソリッドステートフォトダイオードから、およびフットスイッチまたは遠隔制御などの外部制御ハードウエアのいずれかから、取得される。出力は、レーザダイオードドライバおよび光学アライメント器に提供される。種々の実施の形態では、プロセッサアセンブリ１６（図１）は、内部メモリ（例えば、ハードディスクやフラッシュメモリ）などの実体的非一時的コンピュータ可読媒体に入力データ（例えば、イメージデータ）の時系列を保存する能力を伴うデータ格納モジュールを有してもよく、それによりデータの記録および処理が可能となる。種々の実施の形態では、プロセッサモジュールは内部クロックを有してもよく、これにより種々の要素の制御が可能となり、また照明およびセンサシャッタの正しいタイミングが保証される。種々の他の実施の形態では、プロセッサモジュールはユーザ入力と出力のグラフィカル表示とを提供してもよい。蛍光イメージングシステムはオプションで、ビデオディスプレイ（不図示）を備えてもよい。このビデオディスプレイは、イメージが取得されているときにまたは記録された後の再生においてイメージを表示し、または上述したようにさらに方法の種々の段階において生成されたデータを可視化してもよい。
【０１４６】
動作中、および図１、１５および１６の例示的な実施の形態を引き続き参照し、対象の関心解剖学的エリアが照明モジュール１１およびイメージングモジュール１３の両方の下に置かれるようなイメージング位置に対象を配置する。その結果、関心領域の実質的に全体に亘って実質的に一様な照明フィールドが生成される。種々の実施の形態では、対象に蛍光イメージング剤１７を投与する前に、背景除去のために関心エリアのイメージが取得されてもよい。例えば、これを行うために、図１の蛍光イメージングシステム１０のオペレータは、遠隔スイッチまたはフットコントロールを押し込むことで、またはプロセッサアセンブリ１６に接続されたキーボード（不図示）を介して、蛍光イメージの時系列（例えば、ビデオ）の取得を始めてもよい。その結果、照明源１５がオンされ、プロセッサアセンブリ１６は、イメージ取得アセンブリ１３によって提供される蛍光イメージデータの記録を開始する。上述のパルスモードの代わりに、ある実施の形態では、照明源１５がイメージ取得シーケンス中連続的にオンとなる放射源を備えうることは理解されるであろう。実施の形態のパルスモードで動作する場合、カメラモジュール２５０（図１６）のイメージセンサ２６４は、光源２００（図１５）のダイオードレーザ２０２によって生成されるレーザパルスに続く蛍光放射を集めるように同期される。このようにすることで、最大の蛍光放射強度が記録され、信号対ノイズ比は最適化される。この実施の形態では、蛍光イメージング剤１７は対象に投与され、動脈流を介して関心エリアに運ばれる。蛍光イメージの時系列の取得は、例えば、蛍光イメージング剤１７の投与の後すぐに開始され、関心エリアの実質的に全体からの蛍光イメージの時系列は蛍光イメージング剤１７の入来を通じて取得される。関心領域からの蛍光放射は、カメラモジュール２５０の収集光学系によって集められる。残留雰囲気励起光および反射励起光は、カメラモジュール２５０の後続の光学要素（例えば、図１６の光学要素２５６であってこれはフィルタであってもよい）によって減衰する。その結果、蛍光放射はイメージセンサアセンブリ２６４によって、他のソースからの光との最小の干渉を伴って、取得されうる。
【０１４７】
種々の実施の形態において、プロセッサはイメージングシステムと通信するか、またはイメージングシステムのコンポーネントである。種々の実施の形態に係るプログラムコード手段または他のコンピュータ可読インストラクションを任意の適切なプログラミング言語で記述可能および／または保持可能であり、かつ、多くの形態でプロセッサに提供可能である。そのような多くの形態は、例えば、書き込み不可保持媒体（例えば、ＲＯＭやＣＤ−ＲＯＭディスクなどのリードオンリーメモリデバイス）に恒久的に保持される情報や、書き込み可能保持媒体（例えば、ハードドライブ）に変更可能に保持される情報や、一時的媒体（例えば、信号）を介してプロセッサに渡される情報や、ローカルエリアネットワーク、インターネットなどの公衆ネットワーク、または電子的インストラクションを保持するのに適切な任意のタイプの媒体などの通信媒体を通じてプロセッサに運ばれる情報、を含むがそれらに限定されない。種々の実施の形態では、実体的非一時的コンピュータ可読媒体は全てのコンピュータ可読媒体を含む。ある実施の形態では、本明細書で説明された方法または技術のうちのひとつ以上を実行するためのコンピュータ可読インストラクションはそれだけで、非一時的コンピュータ可読媒体に保持されてもよい。
【０１４８】
ある実施の形態では、照明およびイメージングシステムは、医療イメージングデータを取得する蛍光医療イメージングシステム１０などの医療イメージングシステムのコンポーネントであってもよい。照明およびイメージングシステムが上述の蛍光イメージングシステムなどのイメージングシステムのコンポーネントである実施の形態では、医療イメージングシステムの光源、照明モジュール、イメージングモジュールおよびプロセッサは、照明およびイメージングシステムのカメラアセンブリおよびプロセッサとして機能してもよい。当業者であれば、行われるイメージングのタイプに依存して、上述のもののような照明および／またはイメージングシステムでの使用のために、蛍光イメージングシステム以外のイメージングシステムを用いてもよいことを理解するであろう。
【０１４９】
イメージデータを生成する際に用いられる例示的なイメージング剤
【０１５０】
ある実施の形態によると、蛍光医療イメージングアプリケーションにおいて、イメージング剤は、インドシアニングリーン（ＩＣＧ）色素などの蛍光イメージング剤である。ＩＣＧは対象に投与されると、血液タンパクと結合し血液と共に組織内を循環する。蛍光イメージング剤（例えば、ＩＣＧ）は、（例えば、静脈または動脈への）ボラース投与として、イメージングに適した濃度で、対象に投与されてもよい。この場合、ボラースは血管系を循環し、毛細血管系を通過する。複数の蛍光イメージング剤が用いられる他の実施の形態では、そのような複数の薬剤は同時に（例えば、単一のボラースで）投与されてもよいし、順番に（例えば、別個のボラースで）投与されてもよい。ある実施の形態では、蛍光イメージング剤はカテーテルによって投与されてもよい。ある実施の形態では、蛍光イメージング剤は、蛍光イメージング剤から生じる信号強度の測定を行う前一時間以内に、対象に投与されてもよい。例えば、蛍光イメージング剤は、測定を行う前三十分以内に対象に投与されてもよい。さらに他の実施の形態では、蛍光イメージング剤は、測定を行う少なくとも三十秒前に投与されてもよい。さらに他の実施の形態では、蛍光イメージング剤は、測定を行うのと同時に投与されてもよい。
【０１５１】
ある実施の形態によると、蛍光イメージング剤は、所望の循環血中濃度を達成するために種々の濃度で投与されてもよい。例えば、蛍光イメージング剤がＩＣＧである実施の形態では、それが約２．５ｍｇ／ｍＬの濃度で投与されることで、約５μＭから約１０μＭの循環血中濃度が達成されてもよい。種々の実施の形態では、蛍光イメージング剤の投与についての上限濃度は、蛍光イメージング剤が循環血液中で臨床毒性となる濃度であり、下限濃度は、蛍光イメージング剤を検出するために血液と共に循環する蛍光イメージング剤から生じる信号強度データを取得するための装置の限界である。種々の他の実施の形態では、蛍光イメージング剤の投与についての上限濃度は、蛍光イメージング剤が自己失活となる濃度である。例えば、ＩＣＧの循環濃度は約２μＭから約１０ｍＭの範囲であってもよい。したがって、ある態様では、方法は、対象へのイメージング剤（例えば、蛍光イメージング剤）の投与ステップと、種々の実施の形態にしたがい信号強度データ（例えば、ビデオ）を処理する前の信号強度データ取得ステップと、を含む。他の態様では、方法はイメージング剤の対象への投与ステップを除いてもよい。
【０１５２】
ある実施の形態によると、蛍光イメージングアプリケーションにおいて蛍光イメージデータを生成するのに用いられる適切な蛍光イメージング剤は、血液と共に循環可能（例えば、リポタンパクや血中の血漿血清などの血液成分と共に循環可能な蛍光色素）であり、かつ、組織の血管系（すなわち、大血管および毛細血管）を通過し、かつ、適切な光エネルギ（例えば、励起光エネルギや吸光エネルギ）に曝されると信号強度が生じるイメージング剤である。種々の実施の形態では、蛍光イメージング剤は、蛍光色素、その類似物、その誘導体、またはそれらの組み合わせを含む。蛍光色素は非毒性蛍光色素を含む。ある実施の形態では、蛍光色素は、近赤外線スペクトルにおいて最適に蛍光を発する。ある実施の形態では、蛍光色素はトリカルボシアニン色素であるかそれを含む。所定の実施の形態では、蛍光色素はインドシアニングリーン（ＩＣＧ）やメチレンブルーやそれらの組み合わせであるか、それを含む。他の実施の形態では、蛍光色素は、フルオレセインイソチオシアネート、ローダミン、フィコエリトリン、フィコシアニン、アロフィコシアニン、オルトフタルアルデヒド、フルオレサミン、ローズベンガル、トリパン青、フルオロゴールド、またはそれらの組み合わせであって各色素にとって適切な励起光波長を用いて励起可能なものであるか、それを含む。ある実施の形態では、蛍光色素の類似物または誘導体が用いられてもよい。例えば、蛍光色素類似物または誘導体は、化学的に変更されたが、適切な波長の光エネルギに曝された場合に蛍光を発する能力を維持する蛍光色素を含む。
【０１５３】
種々の実施の形態では、蛍光イメージング剤は凍結乾燥粉末、固体、または液体として提供されてもよい。ある実施の形態では、蛍光イメージング剤はバイアル（例えば、無菌バイアル）で提供されてもよく、バイアルは、無菌注射器で無菌流体を調製することにより適切な濃度での再構成を可能としてもよい。再構成は適切なキャリアや希釈剤を用いて行われてもよい。例えば、蛍光イメージング剤は、投与の直前に水性希釈剤で再構成されてもよい。種々の実施の形態では、溶液中で蛍光イメージング剤を維持するであろう任意の希釈剤またはキャリアが用いられてもよい。一例として、ＩＣＧは水で再構成可能である。ある実施の形態では、蛍光イメージング剤が再構成されると、それは追加的な希釈剤およびキャリアと混合されうる。ある実施の形態では、例えば溶解性、安定性、イメージング特性、またはそれらの組み合わせを強化するために、蛍光イメージング剤を他の分子、例えば、タンパク質、ペプチド、アミノ酸、合成高分子、糖など）と複合化してもよい。トリスアミノメタン、ＨＣｌ、ＮａＯＨ、リン酸緩衝剤、および／またはＨＥＰＥＳを含む追加的な緩衝剤を追加してもよい。
【０１５４】
当業者であれば、上で蛍光イメージング剤が詳細に説明されたが、光学イメージングモダリティに依存して、本明細書で説明されるシステム、方法および技術との関連で他のイメージング剤を用いてもよいことを理解するであろう。
【０１５５】
ある実施の形態では、本明細書で説明される方法およびシステムと組み合わせて用いられる蛍光イメージング剤は、血流イメージング、組織灌流イメージング、リンパイメージング、またはそれらの組み合わせのため用いられてもよく、それらは侵襲的手術、最低侵襲的手術、非侵襲的手術、またはそれらの組み合わせ中に行われてもよい。血流および組織灌流を含みうる侵襲的手術の例は、心臓関連手術（例えば、ＣＡＢＧオンポンプまたはオフポンプ）や再建手術を含む。非侵襲的または最小侵襲手術の例は、傷（例えば、褥瘡などの慢性傷）の治療および／または管理を含む。  リンパイメージングの例は、リンパ節、リンパ節ドレナージ、リンパマッピング、またはそれらの組み合わせの特定を含む。ある変形例では、そのようなリンパイメージングは女性の生殖システム（例えば、子宮、子宮頸部、外陰）に関してもよい。ある実施の形態では、蛍光イメージング剤は、リンパ的イメージングに影響を及ぼすのに十分な濃度かつ適切な態様で、投与されてもよい。
【０１５６】
組織灌流は単位組織体積ごとの微小循環性血流に関連しており、そこでは灌流対象の組織の毛細血管床へ酸素および栄養が提供され、そこから老廃物が除去される。組織灌流は、血管内の血流に関連するがそれとは別個の現象である。血管を通じた定量化血流は、フローを定義するターム（すなわち、体積／時間）で、またはスピードを定義するターム（すなわち、距離／時間）で、表現されてもよい。組織血液灌流は組織体積内における小動脈、細管、細静脈などの毛細血管を通る血液の動きを定義する。定量化組織血液灌流は、組織を通過する血流のタームで、すなわち、体積／時間／組織体積（または、組織質量）のタームで、表現される。灌流は栄養性血管（例えば、キャピラリとして知られている毛細血管）に関連付けられる。この栄養性血管は、より大きな径の非栄養性血管ではなく、血液と組織との間の代謝物の交換に関連付けられた血管を含む。ある実施の形態では、ターゲット組織の定量化は、ターゲット組織に関するパラメータまたは量、例えばレート、サイズ、体積、時間、距離／時間、および／または体積／時間、および／または変化量、を計算するか決定することを含んでもよい。それは前述のパラメータまたは量のうちの任意のひとつ以上に関する。しかしながら、より大きな径の血管を通じた血液の動きと比べて、個々のキャピラリを通じた血液の動きは大いに不規則でありうる。これは主に血管運動のためであり、血管拍での自発振動は赤血球の動きにおける脈動として現れる。
【０１５７】
まとめると、ひとつ以上の実施の形態は、作業距離の変化を許容しつつ、フラットな照明フィールドを提供し、かつ、照明フィールドをターゲットイメージングフィールドにマッチさせることができる。したがって、正確な定量的イメージングアプリケーションが可能となる。ターゲットからの光をセンサに集束させるイメージング要素は、照明フィールドの操舵と同期して動かされてもよい。追加的にまたは代替的に、ドレープレンズとデバイスのウインドウフレームとの間の密な嵌合を確かにするドレープを用いてもよい。追加的にまたは代替的に、ひとつ以上の実施の形態は、単一のセンサならびに照明および露光または検出の制御されたタイミングを用いることで、結像されるべき光から環境光を減じることができる。追加的にまたは代替的に、ひとつ以上の実施の形態は、イメージフレームのターゲットレチクル領域内で測定された正規化蛍光強度の表示を可能としてもよい。
【０１５８】
これに対して、照明及びイメージングデバイスが照明をターゲットイメージング視野に合わせない場合、または、フラット、すなわち一様または実質的に均一な照明フィールドを提供しない場合、照明及び画質は悪化するであろう。非一様な照明フィールドは、特にハンドヘルドイメージングデバイスにおいて様々な作業距離で用いられた場合、邪魔で不正確なイメージング乱れを引き起こしうる。また、イメージング視野外の余分な光はデバイスの効率を低下させ、デバイスを位置決めする際にユーザの邪魔となり得る。
【０１５９】
本明細書で説明される方法およびプロセスは、コンピュータやプロセッサやマネジャーやコントローラによって、またはハードウエアや他の回路で実行されるコードまたはインストラクションによって実行されてもよい。方法（またはコンピュータ、プロセッサまたはコントローラの動作）の基礎をなすアルゴリズムが詳細に説明されたので、方法の実施の形態の動作を実装するためのコードまたはインストラクションはコンピュータ、プロセッサまたはコントローラを、本明細書で説明される方法を実行するための専用プロセッサへと変換してもよい。
【０１６０】
また、他の実施の形態は、上述のコードまたはインストラクションを保持するための、例えば非一時的コンピュータ可読媒体などのコンピュータ可読媒体を含んでもよい。コンピュータ可読媒体は、揮発性もしくは不揮発性メモリまたは他のストレージデバイスであってもよく、それはコンピュータ、プロセッサまたはコントローラに取り外し可能または固定的に結合されていてもよく、コンピュータ、プロセッサまたはコントローラは本明細書で説明された方法の実施の形態を実行するためにコードまたはインストラクションを実行するものである。
【０１６１】
例示的な実施の形態が本明細書で開示され、具体的な用語が用いられたが、それらは概括的なものおよび説明的なものとしてのみ使用され、かつそのようなものとして解釈されるべきであって、限定を目的としていない。ある例では、本願の出願時点の当業者には明らかであるように、特定の実施の形態との関連で説明された特徴、特性、および／または要素は単体で用いられてもよく、またはそうでないと特に断らない限り、他の実施の形態との関連で説明された特徴、特性、および／または要素との組み合わせで用いられてもよい。したがって、以下で規定される本発明の精神および範囲から逸脱すること無く、形態や詳細の種々の変更がなされうることは、当業者には理解されるであろう。
【０１６２】
詳述された種々の実施の形態と関連して本開示が説明されたが、示された詳細に限定されることを意図したものではない。本開示の範囲から外れることなく様々な変更や構造変形がなされうるからである。本開示の範囲から逸脱すること無く、説明された実施の形態の形態やコンポーネント配置やステップや詳細や動作順序の種々の変更を行うことができ、また本開示の他の実施の形態をなすこともでき、それらのものは本開示に触れた当業者には明らかであろう。したがって、添付の請求項は本開示の範囲に入るので、添付の請求項がそのような変形例および実施の形態をカバーすることが想定されている。簡潔明瞭な記載をするために、本明細書では特徴は同じまたは異なる実施の形態の一部として説明された。しかしながら、本開示の範囲は、説明された特徴の全てまたはいくつかの組み合わせを有する実施の形態を含むことが理解されよう。「例えば」および「など」という用語およびそれらの文法的等価物について、そうでないと明記されない限り、「および非限定的に」というフレーズが次に続くものとして理解される。本明細書で用いられるように、「ａ」、「ａｎ」及び「ｔｈｅ」という単数形はコンテキストがそうでないと明示的に述べない限り複数の指示物を含む。
【図１】
2020189109.tif 000003
【図２】
2020189109.tif 000004
【図３Ａ】
2020189109.tif 000005
【図３Ｂ】
2020189109.tif 000006
【図４Ａ】
2020189109.tif 000007
【図４Ｂ】
2020189109.tif 000008
【図４Ｃ】
2020189109.tif 000009
【図５Ａ】
2020189109.tif 000010
【図５Ｂ】
2020189109.tif 000011
【図６Ａ】
2020189109.tif 000012
【図６Ｂ】
2020189109.tif 000013
【図７】
2020189109.tif 000014
【図８Ａ】
2020189109.tif 000015
【図８Ｂ】
2020189109.tif 000016
【図９】
2020189109.tif 000017
【図１０Ａ】
2020189109.tif 000018
【図１０Ｂ】
2020189109.tif 000019
【図１０Ｃ】
2020189109.tif 000020
【図１１Ａ】
2020189109.tif 000021
【図１１Ｂ】
2020189109.tif 000022
【図１１Ｃ】
2020189109.tif 000023
【図１１Ｄ】
2020189109.tif 000024
【図１２Ａ】
2020189109.tif 000025
【図１２Ｂ】
2020189109.tif 000026
【図１２Ｃ】
2020189109.tif 000027
【図１３Ａ】
2020189109.tif 000028
【図１３Ｂ】
2020189109.tif 000029
【図１３Ｃ】
2020189109.tif 000030
【図１３Ｄ】
2020189109.tif 000031
【図１４】
2020189109.tif 000032
【図１５】
2020189109.tif 000033
【図１６】
2020189109.tif 000034
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
ターゲットを撮像するプロセッサであって、前記プロセッサは期間内に、
前記ターゲットを照らすための励起パルスを生成するために励起光源を起動することと、
前記ターゲットを照らすための白色パルスを、前記白色パルスが前記励起パルスと重ならず、かつ、前記白色パルスが前記期間内に少なくとも二回生成されるように生成するために白色光源を起動することと、
前記励起パルス中に、蛍光露光時間の間、イメージセンサを曝すことと、
少なくともひとつの白色パルス中に、可視露光時間の間、前記イメージセンサを曝すことと、
前記イメージセンサからの出力を検出することと、
環境光の補正を行うことと、
結果として得られるイメージを出力することと、を行うプロセッサ。
【請求項２】
環境光の補正を行うために、前記プロセッサは、
センサ画素行の第１集合についての前記蛍光露光時間のある割合の間、前記イメージセンサのセンサ画素行の第１集合を曝すことと、
前記蛍光露光時間全体の間、前記イメージセンサのセンサ画素行の第２集合を曝すことと、を行う請求項１に記載のプロセッサ。
【請求項３】
前記ある割合は１／２である請求項２に記載のプロセッサ。
【請求項４】
前記プロセッサは、以下の式を用いて蛍光信号Ｆを決定するためのものである請求項３に記載のプロセッサ。
Ｆ＝２＊Ｅｘｐ２−Ｅｘｐ１
ここで、Ｅｘｐ１は蛍光露光時間の前記ある割合の間の信号出力であり、Ｅｘｐ２は前記蛍光露光時間全体の間の信号出力である。
【請求項５】
前記露光時間の前記ある割合は前記励起パルスの幅と等しい請求項２に記載のプロセッサ。
【請求項６】
前記可視露光時間は前記少なくともひとつの白色パルスの幅よりも長い請求項１に記載のプロセッサ。
【請求項７】
前記可視露光時間は前記期間内のひとつの白色パルスについてのものである請求項１に記載のプロセッサ。
【請求項８】
前記可視露光時間は前記期間内の二つの白色パルスについてのものである請求項１に記載のプロセッサ。
【請求項９】
環境光の補正を行うために、前記プロセッサは、
ターゲットが前記期間内に少なくとも一度照らされることがないバックグラウンド露光時間の間、前記イメージセンサを曝すことを行う請求項１に記載のプロセッサ。
【請求項１０】
期間内にターゲットを撮像する方法であって、
前記ターゲットを照らすための励起パルスを生成することと、
前記ターゲットを照らすための白色パルスを、前記白色パルスが前記励起パルスと重ならず、かつ、前記白色パルスが前記期間内に少なくとも二回生成されるように生成することと、
前記励起パルス中に、蛍光露光時間の間、イメージセンサを曝すことと、
少なくともひとつの白色パルス中に、可視露光時間の間、前記イメージセンサを曝すことと、
前記イメージセンサからの出力を検出することと、
環境光の補正を行うことと、
結果として得られるイメージを出力することと、を含む方法。
【請求項１１】
環境光の補正を行うことは、
前記蛍光露光時間のある割合の間、前記イメージセンサのセンサ画素行の第１集合を曝すことと、
前記蛍光露光時間全体の間、前記イメージセンサのセンサ画素行の第２集合を曝すことと、を含む請求項１０に記載の方法。
【請求項１２】
環境光の補正を行うことは、
ターゲットが前記期間内に少なくとも一度照らされることがないバックグラウンド露光時間の間、前記イメージセンサを曝すことを含む請求項１０に記載の方法。
【請求項１３】
前記励起パルスを生成することは、一様でアナモルフィックな照明を前記ターゲットに提供することを含む請求項１０から１２のいずれか一項に記載の方法。
【請求項１４】
一様でアナモルフィックな照明を前記ターゲットに提供することは、少なくとも二つの照明ポートからの照明を重ね合わせることを含む請求項１３に記載の方法。
【請求項１５】
前記蛍光露光時間の間前記イメージセンサを曝すことは、前記露光中、前記イメージセンサの上流に波長依存開口を提供することを含み、前記波長依存開口は中央領域の外側の可視光を遮るものである請求項１０から１４のいずれか一項に記載の方法。
【請求項１６】
前記波長依存開口は、可視光と前記励起パルスにより励起された前記蛍光との両方について、センサ面において実質的に同様な被写界深度を生じさせるよう構成される請求項１５に記載の方法。
【請求項１７】
イメージに蛍光強度を表示させる方法であって、
前記イメージの領域をカバーするターゲットレチクルを表示させることと、
前記ターゲットレチクル内の正規化蛍光強度を算出することと、
前記ターゲットレチクルに関連付けられたディスプレイ領域に前記正規化蛍光強度を表示させることと、を含む方法。
【請求項１８】
前記ディスプレイ領域は前記ターゲットレチクルに投影される請求項１７に記載の方法。
【請求項１９】
前記正規化蛍光強度は単一の数値を含む請求項１７または１８に記載の方法。
【請求項２０】
前記正規化蛍光強度は正規化蛍光強度の履歴プロットを含む請求項１７から１９のいずれか一項に記載の方法。
【請求項２１】
リンパイメージングのための、請求項１０から１６のいずれか一項に記載の方法、請求項１７から２０のいずれか一項に記載の方法、またはそれらの組み合わせの使用。
【請求項２２】
血流イメージング、組織灌流イメージング、またはそれらの組み合わせのための、請求項１０から１６のいずれか一項に記載の方法、請求項１７から２０のいずれか一項に記載の方法、またはそれらの組み合わせの使用。
【外国語明細書】
2020189109000001.pdf